(57)【要約】【課題】外部との電波の送受信が可能に構成されたシールを貼付することにより封印されている基板ユニットを備える遊技機において、電波の送受信が阻害されることなく該シールを確実に作動させることができて不正行為の有無を正しく検知することが可能な、信頼性の高い遊技機を提供すること。【解決手段】基板ユニット２７１Ａの一側部分が、金属よりなる連結部材２７７を含む取付構造により遊技盤の裏面側に支持固定され、該基板ユニット２７１Ａの一側部分に対向する他側部分が、外部との電波の送受信が可能に構成されたシール６１２を貼付することにより封印された構成とする。【選択図】      図３０
2020192470.tif 000002
【特許請求の範囲】
【請求項１】
制御基板を搭載する基板ユニットが遊技盤の裏面側に配設された遊技機であって、
前記基板ユニットが、第１ケースと第２ケースとの間に制御基板を収容した構成を有する基板ケースを備え、
前記基板ケースの一側部分が、金属よりなる連結部材を含む取付構造により遊技盤の裏面側に支持固定され、
前記基板ケースの他側部分が、外部との電波の送受信が可能に構成されたシールを貼付することにより封印され、
前記基板ケースの一側部分が、連結台座部材を介して前記取付構造により遊技盤の裏面側に支持固定され、かつ、この連結台座部材が金属製の締結具を用いて基板ケースに連結封止され、
前記連結台座部材に、前記取付構造に含まれる連結部材に係合する金属製の係合部材が設けられていることを特徴とする遊技機。
【発明の詳細な説明】
【技術分野】
【０００１】
本発明は、パチンコ機やスロットマシンに代表される遊技機に関するものである。
【背景技術】
【０００２】
遊技機においては、ＣＰＵ（中央演算装置）や遊技に関わる制御プログラムが記憶されたＲＯＭ等の電子部品が実装された制御基板を備える。
【０００３】
この種の遊技機においては、制御基板に対しての不正行為が数多く報告されている。
【先行技術文献】
【特許文献】
【０００４】
【特許文献１】特開２００６−３２６２８１
【発明の概要】
【発明が解決しようとする課題】
【０００５】
従来より各種の不正対策が検討されている。
【０００６】
本発明は、かかる例示した問題点等に鑑みて案出されたものであり、信頼性の高い遊技機を提供することを目的とする。
【課題を解決するための手段】
【０００７】
本発明にかかる遊技機は、上記目的を達成するために、
制御基板を搭載する基板ユニットが遊技盤の裏面側に配設された遊技機であって、
前記基板ユニットが、第１ケースと第２ケースとの間に制御基板を収容した構成を有する基板ケースを備え、
前記基板ケースの一側部分が、金属よりなる連結部材を含む取付構造により遊技盤の裏面側に支持固定され、
前記基板ケースの他側部分が、外部との電波の送受信が可能に構成されたシールを貼付することにより封印され、
前記基板ケースの一側部分が、連結台座部材を介して前記取付構造により遊技盤の裏面側に支持固定され、かつ、この連結台座部材が金属製の締結具を用いて基板ケースに連結封止され、
前記連結台座部材に、前記取付構造に含まれる連結部材に係合する金属製の係合部材が設けられていることを特徴とする。
【発明の効果】
【０００８】
本発明によれば、信頼性の高い遊技機が得られる。
【図面の簡単な説明】
【０００９】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例であるパチンコ機の背面図である。
【図７】本発明にかかる遊技機の一例であるパチンコ機のセット板を開いた背面の斜視図である。
【図８】本発明にかかる遊技機の一例であるパチンコ機の遊技盤の裏面の斜視図である。
【図９】本発明にかかる遊技機の一例であるパチンコ機の遊技盤の裏面の第１基板ケースを連結台座部材から外した状態の斜視図である。
【図１０】本発明にかかる遊技機の一例であるパチンコ機の遊技盤の裏面の第１基板ケースを連結台座部材ごと外した状態の右側面図である。
【図１１】本発明にかかる遊技機の一例であるパチンコ機の遊技盤の裏面の第１基板ケースを連結台座部材から外し、連結台座部材を開放した状態の斜視図である。
【図１２】本発明にかかる遊技機の一例であるパチンコ機の遊技盤の裏面の第１基板ケースおよび連結台座部材をそれぞれ外した状態の斜視図である。
【図１３】本発明にかかる遊技機の一例であるパチンコ機の遊技盤の裏面の第１基板ケースを開放した状態の斜視図である。
【図１４】本発明にかかる遊技機の一例であるパチンコ機の遊技盤の裏面の第１基板ケースを外し、中間部材を開放した状態の斜視図である。
【図１５】破断ネジの一例を示す正面図である。
【図１６】本発明にかかる遊技機の一例であるパチンコ機の遊技盤の裏面の第１基板ケース、連結台座部材、中間部材および球集合板を外して分解した状態の斜視図である。
【図１７】本発明にかかる遊技機の一例であるパチンコ機の遊技盤の裏面の第１基板ケースおよび連結台座部材を外して分解した状態の斜視図である。
【図１８】本発明にかかる遊技機の一例であるパチンコ機の第１基板ケースに連結台座部材を取り付けた状態の斜視図である。
【図１９】本発明にかかる遊技機の一例であるパチンコ機の遊技盤から球集合板、開閉機構、連結台座部材を取り付けた第１基板ケースを分離した状態の分解斜視図である。
【図２０】中間部材の封止構造を示す拡大図である。
【図２１】本発明にかかる遊技機の一例であるパチンコ機の遊技盤の裏面の第１基板ケースを連結台座部材ごと外し、さらに中間部材ごと球集合板を外した状態の斜視図である。
【図２２】本発明にかかる遊技機の一例であるパチンコ機の遊技盤の裏面の第１基板ケースおよび中間部材を取り付けた球集合板を外した状態の斜視図である。
【図２３】本発明にかかる遊技機の一例であるパチンコ機の遊技盤の裏面の斜視図である。
【図２４】第１基板ケースの斜視図である。
【図２５】第１基板ケースの分解斜視図である。
【図２６】本発明にかかる遊技機の一例であるパチンコ機の第１基板ケースをシールを貼付することにより封印した状態の部分拡大斜視図である。
【図２７】シールの断面図である。
【図２８】シールの正面図である。
【図２９】シールの背面図である。
【図３０】本発明にかかる遊技機の一例であるパチンコ機の第１基板ケースが別の取付構造により取り付けられた状態の斜視図である。
【図３１】基板ケースの支持固定位置およびシールの貼付位置の一例を示す模式図である。
【図３２】基板ケースの矩形状突起部の別の例を示す図である。
【図３３】シールがカバー部材により覆われた状態を示す模式背面図（遊技機の裏面側からみた図）である。
【図３４】シールがカバー部材により覆われた状態を示す分解下面図である。
【図３５】カバー部材の取付構造の一例を示す模式下面図である。
【図３６】中間部材にカバー部材が着脱可能に支持された例を示す背面斜視図（遊技盤側からみた斜視図）である。
【図３７】図３６の背面図である。
【図３８】図３６の下面図である。
【発明を実施するための形態】
【００１０】
パチンコ球を使用するパチンコ機等の遊技機においては、ＣＰＵ（中央演算装置）や遊技に関わる制御プログラムが記憶されたＲＯＭ等の電子部品が実装された制御基板を備え、その制御基板によって一連の遊技が制御される構成としたものがある。この制御基板を基板ケースに収容し、この基板ケースの取付台等の周辺部材も含めた基板ユニットとして一体化して、遊技盤の裏面側に配設するようにした構成も採用されている。
【００１１】
この種の遊技機においては、不正な利益を得ることを目的として、制御基板を不正に取り外して当該基板内のＲＯＭ（ＣＰＵやＲＯＭが１チップ化されている場合は当該チップ）を交換し遊技内容を変更したり、リード線等により外部から不正な電気信号を制御基板に入力させたりする等、制御基板に対しての不正行為が数多く報告されており、従来より各種の不正対策が検討されている。例えば、制御基板を収容する基板ケースに、ＩＣチップおよびアンテナを備えるシールを貼付し、これにより基板ケースを封印するようにする方法が特許文献１に開示されている。同文献に開示されたシールは、ＩＣチップに格納されている識別情報がアンテナにより読取体に対して送信可能となっている。このシールを基板ケースに貼付しておくようにすることにより、基板ケースを不正に開封すべくこのシールを剥がすとアンテナが破壊されて遊技ホールの管理者等がスキャナーによりＩＣチップに格納されたＩＤ情報を確認できなくなるため、制御基板に対して不正が行われたことを容易かつ確実に発見することができる。
【００１２】
ところで、基板ケースとしては通常、樹脂を成形してなるものが用いられているが、この基板ケースを取り付けるために、例えば前記特許文献１にも示されているように、蝶ネジ状の頭部を有して取付台に挿通されロックされる構成の固定具や、あるいは鋼製のヒンジ等のような、金属よりなる連結部材が使用される場合がある。この場合、この金属製の連結部材が前記ＩＣチップに格納されている識別情報の送受信を阻害し、識別情報を正しく読み取ることが困難となり、その結果不正行為の有無が正しく検知できなくなるという問題がある。
【００１３】
本発明は、かかる問題点に鑑みて案出されたものであり、外部との電波の送受信が可能に構成されたシールを貼付することにより封印されている基板ケースを備える遊技機において、電波の送受信が阻害されることなく該シールを確実に作動させることができて不正行為の有無を正しく検知することが可能な、信頼性の高い遊技機を提供することを目的とする。
【００１４】
本発明にかかる遊技機は、手段１として、
制御基板を搭載する基板ユニットが遊技盤の裏面側に配設された遊技機であって、
前記基板ユニットが、第１ケースと第２ケースとの間に制御基板を収容した構成を有する基板ケースを備え、
前記基板ケースの一側部分が、金属よりなる連結部材を含む取付構造により遊技盤の裏面側に支持固定され、
前記基板ケースの他側部分が、外部との電波の送受信が可能に構成されたシールを貼付することにより封印されていることを特徴とするものである。
【００１５】
なお本発明において、「基板ケースの一側部分」と「基板ケースの他側部分」とは、基板ケースにおいて相対向する互いに離れた部位を意味し、例えば正面視方形状の基板ケースの場合、左右方向に離れた部位や、上下方向に離れた部位、対角方向に離れた部位等をいずれも含意し、「表側部分／裏側部分」は含意しない。
【００１６】
また、「金属よりなる連結部材」とは、例えば鋼製の添板、ヒンジ、ブラケット等のような、一定のスペースを占有する部材を意味する。
【００１７】
また、「基板ケースをシールを貼付することにより封印する」とは、破壊、変色等の痕跡をなんら残さずに、もしくは電波の送受信機能をなんら損なわずにシールを剥がすことによっては、基板ケースを開封することが不可能な状態とすること、即ち基板ケースを開封するにはシールの少なくとも一部に破壊、変色等の痕跡を残すこと、もしくは電波の送受信機能を損なうことが必要な状態とすることを意味する。
【００１８】
上記のような構成とすることにより、電波の送受信が阻害されることなくシールを確実に作動させることができる。即ち、基板ケースの一側部分においては取付構造を構成する金属製の連結部材がシールの機能に影響を与える可能性があるが、上記構成によればシールはこの金属製の連結部材が存在する一側部分ではなくこれに対向する他側部分に貼付されているので、金属による影響がシールの機能に実質的に及ばない構成となっている。したがって、シールによる外部との電波の送受信を金属部材により阻害されることなく確実に行うことができる。これにより、不正行為の有無を正しく検知することができて信頼性の高い遊技機が得られる。
【００１９】
また、本発明にかかる遊技機は、手段２として、手段１の遊技機において、
前記基板ケースの取付構造が、金属製のブラケットが回動可能に枢着された構造であり、該基板ケースがこのブラケットを介して遊技盤の裏面側に開閉可能に取り付けられていることを特徴とする。
【００２０】
上記のように基板ケースを開閉可能とすることにより、例えば点検の際に基板ケースを分離することなく開放した状態で作業できるため作業性が良好となるといった利点があるが、このような取付構造の場合は特に、基板ケースの一側部分およびその近傍に金属製の連結部材が集中して使用されることとなり、そのぶん金属による影響が大となるので、この一側部分に対向する他側部分にシールを貼付するようにして金属による影響を回避する構成とした本発明の効果もそれだけ大となる。
【００２１】
また、本発明にかかる遊技機は、手段３として、手段１または手段２の遊技機において、
前記基板ケースの一側部分が金属製の封止部材を用いて封止され、
前記基板ケースの一側部分が、連結台座部材を介して前記取付構造により遊技盤の裏面側に支持固定され、かつ、この連結台座部材が金属製の締結具を用いて基板ケースに連結封止され、
前記連結台座部材に、前記取付構造に含まれる連結部材に係合する金属製の係合部材が設けられ、
前記遊技盤の裏面と基板ユニットとの間に、箱形状に成形されるとともに内部に複数のリブが形成されるようにした中間部材が介装され、かつ、この中間部材において前記基板ケースの一側部分と同じ側に位置する一側部分に、該中間部材と球集合板とを封止するための金属製の締結具を含む封止手段が設けられ、
前記基板ケースの一側部分および連結台座部材に、上記基板ケースの封止部材ならびに連結台座部材を基板ケースに連結封止するための締結具を収容する収容部がそれぞれ設けられていることを特徴とする。
【００２２】
なお本発明において、「基板ケースを封止する」とは、基板ケースを痕跡を残すことなく開封することができないようにすること、即ち基板ケースを開封するには少なくとも一部を破壊または切断することが必要な状態とすることを意味する。また、「連結台座部材を基板ケースに連結封止する」「中間部材と球集合板とを封止する」とは、痕跡を残すことなくこれら連結台座部材や中間部材の固定状態を解除することができないようにすることを意味する。
【００２３】
上記構成においては、基板ケースの封止部材、連結台座部材を基板ケースに連結封止するための締結具、連結台座部材に設けられる係合部材ならびに中間部材と球集合板とを封止するための締結具がいずれも金属製となっており、これらの金属製の部材や、さらには基板ケースの封止部材ならびに連結台座部材を基板ケースに連結封止するための締結具を収容する収容部がすべて、前記基板ケースを遊技盤の裏面側に支持固定するための取付構造に含まれる金属よりなる連結部材とともに、基板ケースの一側部分およびその近傍に集中して配置されているので、この基板ケースの一側部分が、さらに多量の金属が集中して存在する環境となっており、したがって金属による影響がさらに大となっているため、この一側部分に対向する他側部分にシールを貼付するようにして金属による影響を回避する構成とした本発明の効果もさらに大となっている。
【００２４】
また、本発明にかかる遊技機は、手段４として、手段１または手段３の遊技機において、
前記第１ケースおよび第２ケースの端縁部分に突起片をそれぞれ形成しておき、これら突起片を重合させることによって突起部が構成され、この突起部にシールを貼付することにより前記基板ケースの端縁部分が封印されていることを特徴とする。
【００２５】
上記のような構成とすることにより、シールを容易かつ確実に貼付することができて作業性が良好で信頼性の高い封印構造とすることができる。即ち、突起片を重合して突起部を構成することにより、該突起部を基板ケースに比して厚みが小さくなるように形成することができ、これによりシールをより貼付しやすく、かつより強固に貼付することが可能な構造とすることができる。
【００２６】
なお、前記突起部の形状は特に限定されないが、シールの形状に対応した形状（例えば矩形状等）としておくと、シールを所定の位置および姿勢に貼付しやすく作業性が良好となる。
【００２７】
また、本発明にかかる遊技機は、手段５として、手段４の遊技機において、
前記突起部が、シールを貼付位置に案内し得るガイド構造を有することを特徴とする。
【００２８】
上記のような構成とすることにより、シールを突起部に貼付する際に、ガイド構造によりシールが貼付位置に案内されて位置決めが容易となり作業性が向上する。
【００２９】
また、本発明にかかる遊技機は、手段６として、手段５の遊技機において、
前記ガイド構造が、シールの周縁を包囲する構造であることを特徴とする。
【００３０】
ガイド構造としては、例えばシールの貼付位置に部分的に突条を形成したもの等でもよいが、上記のようにシールの周縁を包囲する構造とすることにより、シールを貼付位置により正確に案内することができる。また、シールが貼付された状態ではその周縁がガイド構造により包囲されるためより剥がし難くなり、したがって突起部における封印がさらに確実になされる。
【００３１】
また、本発明にかかる遊技機は、手段７として、手段１から手段６のいずれかの遊技機において、
前記シールが、有機溶剤ないし粘着剤層の粘着力が低下する温度の熱により変色するものであることを特徴とする。
【００３２】
上記のような構成とすることにより、基板ケースからシールを不正に剥がすことを意図して溶剤をかけたり熱を加えたりした場合に、シールが変色することによって不正行為の痕跡を残すことができる。
【００３３】
また、本発明にかかる遊技機は、手段８として、手段１から手段７のいずれかの遊技機において、
前記シールが、長方形状の平面形状を有し、ＩＣチップおよびアンテナを有するＩＣタグユニットを備え、該アンテナがシールの一隅部側からその対角方向の隅部側に亘って延びるように配置されていることを特徴とする。
【００３４】
シールが剥がされた場合には、剥がす動作に伴う応力によりアンテナが分断され、ＩＣチップに格納されたＩＤ情報を確認できなくなるため、シールが不正に剥がされたことを発見することができるが、上記のようにアンテナがシールの一隅部側からその対角方向の隅部側に亘って延びるように配置されている構成とすることにより、アンテナをシールの一辺に沿って設ける構成に比べ、アンテナの長さ寸法を大きく確保することができ、したがってアンテナの分断が生じる機会を多く設けることができて不正行為をより確実に検知することができる。
【００３５】
また、本発明にかかる遊技機は、手段９として、手段８の遊技機において、
シールにおけるアンテナの周囲にアンテナ用切り込みが形成されていることを特徴とする。
【００３６】
上記のような構成とすることにより、シールが剥がされた場合にアンテナ用切り込みの端部からシールが破壊されるのに伴ってアンテナも破壊され、その位置にてアンテナが分断されることとなるため、アンテナがより分断され易くなって、不正が行われた場合の発見がより確実になされることとなる。
【００３７】
また、本発明にかかる遊技機は、手段１０として、手段９の遊技機において、
前記アンテナ用切り込みが、アンテナの長手方向およびシールのすべての辺方向に対して交差する方向に延びる線状の切り込みであることを特徴とする。
【００３８】
上記のような構成とすることにより、シールがその一辺に沿う方向に剥がされた場合の剥がす力に伴う応力がアンテナ用切り込みのアンテナ側端部に集中し易くなる。これにより、シールがその一辺に沿う方向に剥がされた場合のアンテナの分断をより確実に発生させることができる。
【００３９】
また、本発明にかかる遊技機は、手段１１として、手段１から手段１０のいずれかの遊技機において、
前記シールの外縁に、内側から外側端部に向けて鋭角のＶ字状に開いた外縁切り込みが形成されていることを特徴とする。
【００４０】
上記のような構成とすることにより、シールをその隅角から剥がしていくと、剥がす力に伴う応力が外縁切り込みの内側端部（内側に尖った部位）に集中し、シールがより破壊されやすくなっている。
【００４１】
また、本発明にかかる遊技機は、手段１２として、手段８から手段１１のいずれかの遊技機において、
前記シールの４隅に、Ｌ字状の隅部切り込みがそれぞれ形成されていることを特徴とする。
【００４２】
上記のような構成とすることにより、シールがその隅角側から剥がされた場合には、剥がす力に伴う応力が隅部切り込みの端部に集中し、隅部切り込みからシールに破れなどといった破壊が生じる。よって、不正が行われたことの痕跡がシールに残り、当該不正が行われたことを容易に発見することができる。また、当該隅部切り込みを介したシールの破壊を回避すべく、シールの一辺に沿う方向に当該シールが剥がされたとしても、前記のとおりアンテナの分断が生じるので不正を容易に発見することができる。
【００４３】
また、本発明にかかる遊技機は、手段１３として、手段１から手段１２のいずれかの遊技機において、
遊技機がパチンコ機であることを特徴とする。
【００４４】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
【００４５】
パチンコ機にあっては、基板ケースにおいて、金属製の連結部材が存在する一側部分ではなくこれに対向する他側部分にシールが貼付されているので、金属による影響がシールの機能に実質的に及ばない構成となっており、したがって、シールによる外部との電波の送受信を金属部材により阻害されることなく確実に行うことができ、これにより、不正行為の有無を正しく検知することができて信頼性の高いパチンコ機が得られる。
【００４６】
また、本発明にかかる遊技機は、手段１４として、手段１から手段１２のいずれかの遊技機において、
遊技機がスロット機であることを特徴とする。
【００４７】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
【００４８】
この場合、有価物体はコイン、メダル等が代表例として挙げられる。
【００４９】
スロット機にあっては、基板ケースにおいて、金属製の連結部材が存在する一側部分ではなくこれに対向する他側部分にシールが貼付されているので、金属による影響がシールの機能に実質的に及ばない構成となっており、したがって、シールによる外部との電波の送受信を金属部材により阻害されることなく確実に行うことができ、これにより、不正行為の有無を正しく検知することができて信頼性の高いスロット機が得られる。
【００５０】
また、本発明にかかる遊技機は、手段１５として、手段１から手段１２のいずれかの遊技機において、
遊技機がパチンコ機とスロット機を融合させた遊技機であることを特徴とする。
【００５１】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【００５２】
パチンコ機とスロット機を融合させた遊技機にあっては、基板ケースにおいて、金属製の連結部材が存在する一側部分ではなくこれに対向する他側部分にシールが貼付されているので、金属による影響がシールの機能に実質的に及ばない構成となっており、したがって、シールによる外部との電波の送受信を金属部材により阻害されることなく確実に行うことができ、これにより、不正行為の有無を正しく検知することができて信頼性の高い、パチンコ機とスロット機を融合させた遊技機が得られる。
【００５３】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００５４】
図１ないし図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
【００５５】
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００５６】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００５７】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
【００５８】
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００５９】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００６０】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２ｂ内に嵌まり込むようにして取り付けられている。
【００６１】
つまり、この前面枠１４の側面の少なくとも一部が内枠１２の外側壁（リブ）１２ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００６２】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００６３】
図４に示すように、内枠１２は、外形が矩形状の樹脂ベース２０を主体に構成されており、樹脂ベース２０の中央部には略円形状の窓部孔２１が形成されている。
そして、樹脂ベース２０の後側には、図４及び図５に示す遊技盤３０が着脱可能に装着されている。図５に示すように、遊技盤３０は四角形状の合板よりなり、上部一方のコーナーが肩落ちされており(後に述べる)、その周縁部が樹脂ベース２０（内枠１２）の裏側に当接した状態で取着されている。
【００６４】
従って、遊技盤３０の前面部の略中央部分が樹脂ベース２０の窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００６５】
次に、図５を用いて遊技盤３０の構成を説明する。図５は遊技盤３０の構成を示す正面図である。遊技盤３０の左右やや下方位置には、２組一対の一般入賞口３１、３１が階段状に配置され、中央下方には、上始動口３３ａと下始動口３３ｂ（作動チャッカ３３ｂで構成）とからなる始動口３３ならびに可変入賞装置３２が配置されている。これら一般入賞口３１、３１、可変入賞装置３２および始動口３３は、遊技領域から裏面へ向けて貫通する開口となっており、これらの開口に対応して入賞装置が取り付けられている。即ち、此れらに対応した入球検出センサが、遊技盤３０の背面に設けられており、これらのセンサは、図示しない電気配線を通じて後述する主制御基板（主制御装置）に接続されている。また、下始動口３３ｂの入口には、一対の開閉羽根が設けられており、遊技球を案内する開放位置と、下始動口３３ｂ内に遊技球が入りにくくなる閉塞位置を採りうる。開閉羽根は、遊技盤３０の裏面側に配設されたソレノイドによって駆動される。
【００６６】
そして、この一般入賞口３１、３１、可変入賞装置３２及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００６７】
上記可変入賞装置３２は、通常は遊技球が入賞できない又は入賞し難い閉状態になっており、大当たりの際に遊技球が入賞しやすい開状態と通常の閉状態とに繰り返し作動されるようになっている。具体的には、遊技盤３０の横方向に複数の遊技球を通過させることのできる幅を持つ収容部の入口からの入球を収容部に収容し、該収容部に設けた排出部から検出センサに至って検出するように構成されている。そして、前記遊技盤３０の遊技領域に、窓部１０１と遊技盤３０との間の流下空間を流下する遊技球を入球させる始動口３３が設けられ、前記始動口３３への入球により、主制御装置によって、所定の確率の当否抽選が行われ、該当たり抽選によって遊技状態が特別遊技状態に移行し、該特別遊技状態において、少なくとも１回、前記可変入賞装置３２が、非受球状態から受球状態に切り替わり、前記受球状態において、前記収容部の入口から収容部に収容された規定数の入賞球を、前記検出センサにより検出することによって規定数の賞球を払い出すように構成してある。
【００６８】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
【００６９】
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００７０】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。
【００７１】
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００７２】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００７３】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
【００７４】
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００７５】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００７６】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００７７】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
【００７８】
なお、遊技盤３０の右下隅部および左下隅部は、証紙（例えば製造番号が記載されている）等のシール（図５のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図５のＳ１，Ｓ２）を貼着することで、遊技盤３０と証紙との一義性を持たせることができる。
【００７９】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
【００８０】
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領域の下側限界位置は遊技盤３０の下端位置によって特定される。また、遊技領域の上側限界位置は外レール５２によって特定される。
【００８１】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００８２】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００８３】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００８４】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００８５】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００８６】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００８７】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パチンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００８８】
ここで、前述した前面枠１４について、図１乃至図４を参照しつつより詳細に説明する。
【００８９】
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００９０】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
【００９１】
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００９２】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００９３】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００９４】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
（パチンコ機の背面構成）
図６及び図７は、パチンコ機１０の背面図と、セット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）等が取り付けられている。
【００９５】
本実施形態では、各種制御基板を３つの制御基板にユニット化し、これら制御基板ユニットを個別に内枠１２または遊技盤３０の裏面に装着するようにしている。ここでは便宜上、これらのユニットを「第１制御基板ユニット２０１」、「第２制御基板ユニット２０２」および「第３制御基板ユニット２０３」と称することとする。この場合、第１制御基板ユニット２０１および第２制御基板ユニット２０２として、主制御基板と音声ランプ制御基板とがそれぞれ取付台に搭載してユニット化され、第３制御基板ユニット２０３として、払出制御基板、発射制御基板および電源基板が、セット板４００の第２パーツを構成する排出通路盤にユニット化されている。
【００９６】
第１制御基板ユニット２０１、第２制御基板ユニット２０２および第３制御基板ユニット２０３は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２、２０３やその他構成が前後に重ねて配置されても、隠れた構成等を容易に確認することを可能とするための工夫でもある。
【００９７】
図５に示す一般入賞口３１、可変入賞装置３２および始動口３３に入賞した遊技球は何れも前記裏枠セットの回収通路を介して集合し、さらに排出通路盤の排出通路２１８を介してパチンコ機１０外部に排出される。なお、アウト口３６（図５参照）も同様に排出通路に通じており、何れの入賞口にも入賞しなかった遊技球も排出通路２１８を介してパチンコ機１０外部に排出される。
【００９８】
その他、図６に示すように、内枠１２の背面構成において、遊技盤３０の右下部には、後述する払出機構部３５２より払い出される遊技球を上皿１９、下皿１５、または排出通路の何れかに振り分けるための遊技球分配部が設けられている。
【００９９】
第１制御基板ユニット２０１は、遊技盤３０の裏面側に配設され、制御基板を収容する第１基板ケース２０１Ａを有し、この第１基板ケース２０１Ａに主制御装置２６１が搭載されている。ここで、主制御装置２６１は、主たる遊技の制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる後述の第１基板ケースに収容された構成とされる。
【０１００】
第２制御基板ユニット２０２は、台座に音声ランプ制御装置が搭載された構成を有し、装飾図柄表示装置４２の裏面側を覆う位置に配置され、遊技盤３０に取り付けられている。音声ランプ制御装置は、音声ランプ基板を具備している。
【０１０１】
第３制御基板ユニット２０３は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【０１０２】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【０１０３】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされ、セット板４００の上部から側部にかけて配置された概略逆Ｌ字状をなす払出ユニットならびに下部に配置された排出通路盤とともに、第３制御基板ユニット２０３を構成している。
【０１０４】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【０１０５】
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１1に固定のブラケット７２６（上端部）（下端部は図外）に、内枠１２に固定の取り付け金具を枢着することで構成されている。
【０１０６】
ここで、上述したエラー状態などの状態報知について図１及び図６に基づいて述べる。［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図６に示すモニターＬＥＤ８１１が消灯し、状態表示８１２が「１」を点滅表示する。
【０１０７】
（下受け皿満タン）
下受け皿満タンの報知は、図１に示す右コーナーＬＥＤ８１３が点灯し、図６に示すモニターＬＥＤ８１１が消灯する。そして、状態表示８１２が「２」を点滅表示する。
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
［電源に関するエラー報知］
（ヒューズ切れ１及びヒューズ切れ２）
ヒューズ切れ１は、図６に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図６に示すモニターＬＥＤ８１６及びモニターＬＥＤ８１７が消灯する。そして、遊技球等貸出装置通信異常は、前記状態表示８１２が「Ｕ」を点滅表示する。
【０１０８】
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
【０１０９】
尚、図６において、８１９は、遊技機電源コードを示し、８２０は、電源スイッチを示し、８２１は、外部接続アース線を示す。
【０１１０】
次に、第１制御基板ユニット２０１について説明する。第１制御基板ユニット２０１には、主制御装置２６１が搭載され、該主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなるものである。
【０１１１】
前記第１制御基板ユニット２０１は、第１基板ケース２０１Ａおよび連結台座部材４３０を含み、第１基板ケース２０１Ａは、第１制御基板ユニット２０１の主要部をなす部材であり、図８乃至図１６に示すように、外側ケース（第１ケースまたは第２ケース）７０および内側ケース（第２ケースまたは第１ケース）８５を含む。この実施例では、外側ケース７０が主制御装置２６１の制御基板８０を収容する容積のある方であり、内側ケース８５がその蓋体に相当する方である。なお、外側ケース７０および内側ケース８５は、いずれを第１ケースとしてもよい。
【０１１２】
この第１基板ケース２０１Ａは、前記外側ケース７０側に設けられる外側封止部７１と、前記内側ケース８５側に設けられる内側封止部８６と、その外側封止部７１と内側封止部８６とを連結する金属製の封止部材８７とを有し、その封止部材８７によって前記外側封止部７１と内側封止部８６とが連結されている場合に前記制御基板８０を取り出すときには第１基板ケース２０１Ａを破壊するか或いは所定の部位を切断することを必要とするものである。
【０１１３】
前記外側ケース７０の外側封止部７１と内側ケース８５の内側封止部８６とは対を成すもので、この実施例では、個別に使用することのできる４個の封止部（封止、開封の再使用不可）から構成されており、それぞれを、封止部材８７を用いて封止するよう構成されたものであり、こうした封止構造は、公知に属するものと変わらないものであるから、ここでの詳細説明は省略する。
【０１１４】
なお、外側ケース７０および内側ケース８５において、外側封止部７１および内側封止部８６が設けられた側端縁のほぼ中央部には、該外側封止部７１および内側封止部８６と並置するようにして、３個の封止部材８７を収容し得る収容部８７１が設けられており、これにより、第１基板ケース２０１Ａの定期検査等で封止を解いた後に、収容部８７１から封止部材８７をとり出して、再び第１基板ケース２０１Ａの封止を行うことができるようになっている。
【０１１５】
図８は、遊技球が流下する遊技領域を前面側に形成してある遊技盤３０の裏面の斜視図である。図９は、第１基板ケース２０１Ａを開閉機構４１０から取り外した状態を示す。
【０１１６】
上記開閉機構４１０は、第３部材としての回動連結のための軸４１１を備え、一端側、即ち、コの字形に折り曲げられた一枚の支持板（約２ｍｍ厚の鋼板）からなる第１部材としての支持体４１２が、図１６に示すようにそのコの字の底部部分で遊技盤３０の裏面側にネジで固定され、他端側は、その軸４１１を基点にして回動するように枢着された第２部材としてのブラケット４１３で構成されている。前記軸４１１は、リベット構造であり、その両端部を変形させることよって容易に抜き取り出来ないようにされている。
【０１１７】
前記第１部材としての支持体４１２のコの字の底部部分にはネジ孔が設けられ、図１６に示すように、遊技盤３０の裏面と球集合板４６０（入賞装置に入球した遊技球を受けて下方へ誘導する排出通路が形成されているもの）との間でネジ固定され、球集合板４６０の開口部４６１（又は切り欠き部）を介して遊技機の裏面側に向かう方向に突出する。
【０１１８】
上記構造とすることにより、球集合板４６０を遊技盤３０に取り付けた後は支持体４１２が外側から取り外せない状態となるので、例えば後述する第１基板ケース２０１Ａを不正に取り外したりすることがより困難となる。
【０１１９】
上記球集合板４６０については、その外周部の複数個所を遊技盤３０の裏面に対して固定するが、そのうちの少なくとも一つが固定解除できないように、破断ネジ等でするか、ビス留めしたあと、ビス頭部を覆うキャップを取り付けるようにする等して、球集合板４６０が遊技盤３０から容易に外されるのを防止する構造としてもよい。
【０１２０】
上記切り欠き係合部４１５は、後述の第２係合部４３３とでもって、第１係合部４１４の抜け出し防止の規制機構４４０を構成する。前記ブラケット４１３（約２ｍｍ厚の鋼板）には、図１７に示すように、前記支持体４１２に枢支連結される一枚の支持板からなる支持部４１３ａが形成されており、その支持部４１３ａは、ブラケット本体部から直角に折り曲げられて側面視で門型に形成されている。そして、このブラケット４１３は、第１係合部４１４（後述の連結台座部材４３０に対する）に構成され、その第１係合部４１４には、図１７に示す切り欠き係合部４１５が形成されている。この切り欠き係合部４１５は、切り欠き部分の両側の先端部が互いに対向する方向に鉤状に突出し、全体として概略Ｃ字形状となるように形成されている。
【０１２１】
尚、前記第１基板ケース２０１Ａは、既述の通り、外側封止部７１を備える外側ケース７０と内側封止部８６を備える内側ケース８５を有し、主に外側ケース７０の内部に遊技を制御する制御基板を収容する構成のものである。
【０１２２】
次に、図９乃至図１９に基づいて、連結台座部材４３０について述べる。
【０１２３】
この連結台座部材４３０は、前記開閉機構４１０と前記第１基板ケース２０１Ａとにそれぞれ連結されるものであり、言わば従来から用いられていた基板ケースを取り付けるための台座に相当するものであって、合成樹脂で成型されており、ここでは、幅は、前記第１基板ケース２０１Ａの幅と実質的に同じ幅（約１５０ｍｍ）で、長さが約４８ｍｍ（第１基板ケース２０１Ａの長手方向に向かう長さ）、厚みが１３ｍｍ、肉厚は、２ｍｍのものであり、第１基板ケース２０１Ａの内側ケース８５の側面に接当する側が開放され、リブが多数設けられ、破断ネジ４３９を収容する収容部４３１が、ここでは３個形成されており、そこに破断ネジ４３９がそれぞれ１本づつセットされるようになっているが、周壁、リブの端面は同じレベルに形成され、内側ケース８５の側面に密着接当可能にされており、反対側の側面（遊技盤３０側）は、平坦に形成されている。
【０１２４】
破断ネジは、螺合させて締結（本締め）するのに必要な程度のトルクで回転させて締結した後、さらに大きい所定の高トルクで回転させると破断する破断部を備える金属製のネジであり、具体的には例えば図１５に示す破断ネジＫのように、頭部Ｋ１０および軸部Ｋ２０で構成され、頭部Ｋ１０が、外側頭部Ｋ１１および内側頭部Ｋ１２が軸方向に並置するように形成された構成を有し、外側頭部Ｋ１１と内側頭部Ｋ１２との間に、くびれるようにテーパ状に細径化した形状を有する破断部Ｋ１３が設けられたものとなっている。使用時には、ドライバを外側頭部Ｋ１１の溝に嵌合し必要なトルクで回転させて軸部Ｋ２０を締結対象部材のネジ孔に螺入し本締めした後、外側頭部Ｋ１１をさらに高トルクで回転させると破断部Ｋ１３で破断して外側頭部Ｋ１１が離脱し、以降はドライバにより破断ネジＫを回転させることができずその取り外しが不可能となる。
【０１２５】
前記第１基板ケース２０１Ａのうち、前記連結台座部材４３０と連結封止される部位である第１台座封止部４５０が、その内側ケース８５の端部に設けられており、ここでは該第１基板ケース２０１Ａの幅方向に、所定の間隔を隔てて４個突設されている。この第１台座封止部４５０は、外側ケース７０の外側封止部７１と内側ケース８５の内側封止部８６との位置と平面視で位相がずれるように変位して配置されており、従って、第１基板ケース２０１Ａを背面から（遊技機の背面から）見たときに、前記外側封止部７１と内側封止部８６に重なることなく、視認できる状態にある。
【０１２６】
即ち、前記外側封止部７１と内側封止部８６の位置する側に前記第１台座封止部４５０が配置され、且つ、前記第１基板ケース２０１Ａの背面視（正面）において、前記第１台座封止部４５０が見えるように前記外側および内側封止部７１、８６と平面位相をずらせて配置されているのである。
【０１２７】
そして、前記連結台座部材４３０には、前記第１基板ケース２０１Ａの前記第１台座封止部４５０と連結封止される部位である第２台座封止部４３２が、ここでは、４個が、前記４個の第１台座封止部４５０と対応する位置に突設されている。この１個の第２台座封止部４３２の構造は、この連結台座部材４３０の本体に繋がるリブに、有底のネジ止め凹部を有する突起体が一体成型されており、そのリブの底面と有底部分の底面は面一で、且つ、前記収容部４３１のリブ及び周壁のレベルと面一とされている。
【０１２８】
そして、前記第１、及び第２台座封止部４５０、４３２は、破断ネジを用いて連結封止される。
【０１２９】
前記連結台座部材４３０の内部に、前記開閉機構４１０の前記第１係合部４１４と係合する部位である第２係合部４３３が設けられる。この第２係合部４３３は、この実施例では、後述する第１被覆部材４３０Ａとは別体成型の第２被覆部材４３０Ｂに取り付けられる。勿論、別体の第２被覆部材４３０Ｂが存在せず、第２係合部４３３が連結台座部材４３０の樹脂成型時に埋め込まれたり、或いは、それ自体の弾性変形を利用して、連結台座部材４３０に形成された挿入部４３４の内部に挿入設置されるように構成されてもよいものである。
【０１３０】
前記第２係合部４３３は、ここでは、弾性を備えた一枚の薄い板体（鋼板）を折曲成形して構成されている。即ち、概略縦長の長方形状の板体の一方長辺に沿って延びる帯状部を直角に折曲し、さらにこの帯状部の両端部を内側方向（板体の他方長辺側方向）へ９０℃未満の小角度（例えば２０〜６０°程度）だけ折曲して弾性係合爪を形成した構成となっている。一方、前記第１係合部４１４は金属製の平板状体で構成され、そこに切り欠き係合部４１５が形成され、該切り欠き係合部４１５に前記第２係合部４３３の係合爪を係合させることによって、抜け出し防止の規制機構４４０Ｄが構成されている。そして、前記開閉機構４１０の前記第１係合部４１４を挿入して前記連結台座部材４３０の内部の前記第２係合部４３３に係合させるために前記連結台座部材４３０に、挿入部４３４が形成されている。
【０１３１】
このように、前記規制機構４４０Ｄは、前記第１係合部４１４と前記第２係合部４３３との係合において、前記開閉機構４１０の第１係合部４１４が前記挿入部４３４に挿入されて前記第２係合部４３３と係合されたあとにその挿入方向とは逆の抜き出す方向への移動を規制するものである。
【０１３２】
なお図１０には、図示を明確化するため、第１係合部４１４を前記挿入部４３４に挿入した状態で、第２部材すなわちブラケット４１３ごと第１制御基板ユニット２０１が球集合板４６０から分離した状態が示されているが、実際のパチンコ機１０においては、ブラケット４１３は第１基板ケース２０１Ａ側（連結台座部材４３０）よりも先に、球集合板４６０側（第１部材すなわち支持体４１２）に取り付けられた構造となっている。
【０１３３】
ここで、更に、前記連結台座部材４３０について詳述する。前記第２係合部４３３を被覆するべく、前記連結台座部材４３０は、第１被覆部材４３０Ａと第２被覆部材４３０Ｂとから構成されている。第１被覆部材４３０Ａおよび第２被覆部材４３０Ｂは、それぞれ別体として成形され、組み合わせて連結台座部材４３０として構成され、且つ、これらの少なくとも一方、ここでは第１被覆部材４３０Ａに凹面が形成され、他方、即ち、第２被覆部材４３０Ｂに対向するよう組み合わせることで前記第１係合部を挿入するための前記挿入部４３４を形成している。具体的には、前記挿入部４３４は、その入口が、入口側から内部に向かって幅狭となるようにテーパ状に形成され、且つ、挿入方向に沿って複数、ここでは４本の案内リブが形成されている。
【０１３４】
そして、この第２被覆部材４３０Ｂに、前記第２係合部４３３が設けられるが、その第２係合部４３３を、第２被覆部材４３０Ｂに形成した係止突片４３０Ｃに、その入口の側からスライド挿入して係止させ、且つ、ネジ止めされる。
【０１３５】
前記第２被覆部材４３０Ｂは、前記第１被覆部材４３０Ａよりも小さく構成され、前記連結台座部材４３０と前記第１基板ケース２０１Ａとが連結した状態においては、前記第２被覆部材４３０Ｂの取り外し方向側に前記第１基板ケース２０１Ａが位置された状態となり、前記第１基板ケース２０１Ａと前記第１被覆部材４３０Ａとにより被覆された状態となるように構成されているものである。
【０１３６】
また、前記連結台座部材４３０は、前記第１基板ケース２０１Ａよりも小さく構成され、前記第１基板ケース２０１Ａのうち、基板裏面側で一端側に寄せて連結されるように構成されているものである。
【０１３７】
更に、上述した通り、前記第１及び第２被覆部材４３０Ａ、４３０Ｂを透明樹脂により成型し、これらに被覆される第２係合部４３３を金属製の係合部材により構成してある。
【０１３８】
前記第１基板ケース２０１Ａの側面に、係止リブ４２０、４２０、４２０が前記連結台座部材４３０の略周部に沿って配置されて突出するように備えられ、該係止リブ４２０、４２０、４２０に所定の方向、即ち、第１基板ケース２０１Ａの裏面に沿って第１、第２台座封止部や第１連結部の位置する側から第１基板ケース２０１Ａの中央側に向けてスライド移動させることによって、係合するリブ係合部４３５が前記連結台座部材４３０の側部に設けられると共にその一つの係止リブ４２０が、前記連結台座部材４３０の収容部４３１の周壁の内側に形成されたリブ係合部４３６に係合するように設けられている。
【０１３９】
前述の別体構成の前記第２被覆部材４３０Ｂの両側部にカム面を備えた係合片４３０Ｄ、４３０Ｄが突設され、第１被覆部材４３０Ａの内部に前記係合片４３０Ｄ、４３０Ｄに係合する門型の係合部４３０Ｅ、４３０Ｅがそれぞれ設けられ、前記第２被覆部材４３０Ｂを前記第１被覆部材４３０Ａに対して押し付けることで前記カム面作用により前記係合片４３０Ｄ、４３０Ｄの素材の弾性変形を利用して門型の係合部４３０Ｅ、４３０Ｅへの係合が行われるように構成されている。
【０１４０】
本実施形態のパチンコ機１０においては、遊技機に取り付けられた第１制御基板ユニット２０１が遊技盤３０の裏面に対して開閉することにより、遊技盤裏面の設置物に対しての検査、メンテナンスが容易に行い得るのである。
【０１４１】
そして、封止部により封止されることにより、制御基板に対して不正な改変を行ったり、不正品に交換されることを防止でき、また、第１、第２台座封止部４５０、４３２により連結封止することによって、第１制御基板ユニット２０１を不正品に交換されることを防止できる。
【０１４２】
更に、連結台座部材４３０に対して開閉機構４１０を簡単な操作により装着できるので、作業性が向上するのであり、そして、第１係合部４１４と第２係合部４３３とを一度係合させるとその解除が規制機構４４０Ｄによって規制され、係合部分は被覆されているので、連結状態の第１基板ケース２０１Ａおよび開閉機構４１０、即ち第１制御基板ユニット２０１ごと不正に持ち去ることを防止できるのである。
【０１４３】
次に、第１被覆部材４３０Ａと第２被覆部材４３０Ｂとがそれぞれ別体に成形され、組み合わせて前記連結台座部材４３０として構成されることで、第２係合部４３３を被覆することを行い得ながら、第２係合部４３３を第２被覆部材４３０Ｂに備えておいて、これを後に組み合わせるという作業で、この、第２係合部４３３を前記連結台座部材４３０の内部に備えることができる。
【０１４４】
また、前記連結台座部材４３０と前記第１基板ケース２０１Ａとが連結した状態においては、第２被覆部材４３０Ｂが前記第１基板ケース２０１Ａの側に位置して、前記第１被覆部材４３０Ａとで挟まれた状態となって第２係合部４３３の被覆が行われ、その被覆が容易に外れない。
【０１４５】
更に、連結台座部材４３０は、前記第１基板ケース２０１Ａよりも小さく構成され、前記第１基板ケース２０１Ａのうち、基板裏面側で一端側に寄せて連結される構成であるので、従来のような基板ケースと同等の大型の台座を必要とすることがない状態で、その第１基板ケース２０１Ａの開閉を行い得るのである。
【０１４６】
更に、前記第１及び第２被覆部材４３０Ａ、４３０Ｂを透明樹脂により成型し、これらに被覆される第２係合部４３３を金属製の係合部材により構成してあることで、第１係合部４１４と第２係合部４３３の係合状態が確実におこなわれているかどうか外部から視認でき、また、強固な係合がされていることが視認されることで、安易な取り外しが行われないようにすることができる。
【０１４７】
また、前記第２係合部４３３を板金で構成してその一部を変形させることで第１係合部４１４に対する係合を行う構成であるので、極めて構造が簡単であり、同時に、係合状態の解除が容易に行われないものである。
【０１４８】
更に、挿入部４３４の入口をテーパ状として、且つ、案内リブを設けることで、第１係合部４１４の挿入を容易にすることができると共に内部への侵入がガイドされてスムースに行い得るのである。
【０１４９】
また、外側ケース７０の前記外側封止部７１と内側ケース８５の内側封止部８６の位置する側に前記第１台座封止部４５０及び第２台座封止部４３２が配置されるものの、前記第１、及び第２台座封止部４５０、４３２が見えるように前記外側および内側封止部と平面位相をずらせて配置されていることで、前記第１、及び第２台座封止部４５０、４３２が前記第１基板ケース２０１Ａの背面視（正面）において、視認可能となり、前記第１、及び第２台座封止部４５０、４３２が不正に解除されているかどうか容易に分かるのである。
【０１５０】
また、第１基板ケース２０１Ａの側面に、係止リブ４２０を突出するように設け、前記連結台座部材４３０を係止させて位置決めすることができ、その後の前記第１台座封止部４５０及び第２台座封止部４３２の連結が行い易いのである。
【０１５１】
更に、前記第２被覆部材４３０Ｂを第１被覆部材４３０Ａに取り付けるに、第２被覆部材４３０Ｂのカム面を備えた係合片４３０Ｄと、第１被覆部材４３０Ａの前記係合片４３０Ｄに係合する係合部４３０Ｅの存在によって、第２被覆部材４３０Ｂを第１被覆部材４３０Ａに向けて押圧するだけで、素材の弾性変形でもって係合が行われることになり、簡単に組み付けができる。
【０１５２】
また、連結台座部材４３０に、破断ネジ４３９を収容する収容部４３１を設けることで、第１基板ケース２０１Ａの定期検査等で封止を解いた後に、そこから破断ネジ４３９をとり出して、再び新たな第１台座封止部４５０と第２台座封止部４３２との封止を行うことができる。
【０１５３】
上記開閉機構４１０の他端側（前記支持体４１２と反対側）である第２部材、第１、第２台座封止部４５０,４３２を、破断ネジで連結させてもよい。
【０１５４】
例えば、製造時において開閉機構端部を連結台座部材挿入口に挿入して連結する操作に際し、第１、第２台座封止部の間に、前記開閉機構４１０の他端側である第２部材の一部が入り込む（挟まれる）ように構成されており、次回以降の連結封止では、これら３部品を一つの破断ネジで留めるようにする。この開閉機構４１０の他端側である第２部材は、第３台座封止部を構成するもので、前記ブラケット４１３の本体部の両側部から、前記支持部４１３ａとは反対側に向けて延設され、且つ、その後にブラケット本体部と平行になるように曲折された細幅の取り付け板４１６からなり、その取り付け板４１６に２個一対のネジ孔（後述の連結台座部材４３０と第１基板ケース２０１Ａに対する）が形成されている（ネジ孔ではあるがネジ切りはされていない；図１９参照）。
【０１５５】
また、第１台座封止部４５０に形成された切断部４５０Ａ（図９他参照）を切断して、破断ネジは第２台座封止部及び第２部材に残すようにすれば連結封止を解除できる。
【０１５６】
更に、別の変形例として、第１、第２連結部の両方に切断部を形成し、破断ネジを第２部材に残すようにしてもよい。
【０１５７】
また、この例では、第１係合部４１４を構成する金属製の平板状体に切り欠き係合部４１５が形成されており、該切り欠き係合部４１５に前記第２係合部４３３の係合爪を係合させることによって、抜け出し防止の規制機構が構成されている。
【０１５８】
遊技盤３０の裏面と第１制御基板ユニット２０１との間には、中間部材５０１が介装されている。図１４及び図１６に示すように、遊技盤３０の裏面には球集合板４６０が設けられ、第１制御基板ユニット２０１はこの球集合板４６０に外側から取り付けられる構成となっているが、該球集合板４６０と第１制御基板ユニット２０１との間には、若干の間隙が形成されている。パチンコ機１０の機種によっては、遊技盤３０の裏面の設計に応じて、当該部位の寸法（奥行）が異なる。このため、この寸法の変動に対応できるように、球集合板４６０と第１制御基板ユニット２０１との間には、若干の余裕、すなわち間隙が形成されているのである。前記中間部材５０１は、この球集合板４６０と第１制御基板ユニット２０１との間の間隙を補填するためのものであり、当該間隙にほぼ対応した寸法を有するものとなっている。
【０１５９】
上記中間部材５０１は、球集合板４６０に対向する面が開放された概略横長で中空の箱形の形状を有し、その上端部にはほぼ矩形状の切欠部５１１が形成されている。この切欠部５１１は、球集合板４６０と第１制御基板ユニット２０１とを電気的に接続するスペースを確保するためのものである。
【０１６０】
上記中間部材５０１の内部には、図１４に示すように、複数のリブ５１２が形成されている。このリブ５１２は、中間部材５０１の補強の機能だけでなく、該中間部材５０１の内部に不正基板を設置し得るスペースが形成されないようにするという機能も奏するものである。また、このリブ５１２は、球集合板４６０側に設けた電気部品等に接当しないように区画配置されると共にその高さが部分的に変えられている（リブの外縁面が同じレベルではない）。
【０１６１】
上記中間部材５０１は透明樹脂よりなるものであり、これにより、例えば中間部材５０１より内方側（遊技盤３０側）の球集合板４６０に取り付けられている中継基板、ＬＥＤ基板等の電気部品に対しなんらかの不正行為がなされたか否かが、該中間部材５０１の外側からでも容易に視認することができ、したがって不正をより効果的に防止し得るようになっている。
【０１６２】
上記中間部材５０１の一方端部には、上下１対の板状のブラケット５１３が突設されている。該ブラケット５１３の先端部には孔または切欠が形成されており、一方、前記球集合板４６０における前記開閉機構４１０形成側端部とは反対側の端部（図１４および図１６では右側端部）には、上下１対の軸４６２がそれぞれ上方に突出するように設けられており、この軸４６２に前記中間部材５０１のブラケット５１３が挿通されている。これにより、上記中間部材５０１は一方端部で軸４６２を中心として水平面上で回動可能に軸支され開閉可能となっている。即ち、該中間部材５０１の開閉軸線はパチンコ機１０の背面からみて前記開閉機構４１０形成側端部の反対側（図１４および図１６の右側）で上下に延びるように設定されており、この開閉軸線を軸心にして中間部材５０１が後方側に十分に開放できるようになっている。
【０１６３】
前記第１基板ケース２０１Ａは、図１３に示すように開閉機構４１０により該開閉機構４１０形成側端部（図１３では左側端部）で回動させて一方側へ（図１３では左方に）開放し得るようになっているが、上記のような中間部材５０１の支持構造とすることにより、該中間部材５０１は図１４に示すように第１基板ケース２０１Ａとは逆方向に（図１４では右方に）開放し得るようになっている。すなわち、該中間部材５０１と第１基板ケース２０１Ａとが、左右逆方向に開閉し得る構造、さらに具体的にいえば、左右から折り重ねるようにして閉じ得るとともに、その閉じた状態からそれぞれ左右に開放し得る構造となっている。
【０１６４】
上記中間部材５０１の自由端部側（図９及び図１１では左端部側）およびこれに対応する球集合板４６０上の位置には、中間部材５０１と球集合板４６０とを封止するための封止手段が設けられている。この封止手段は、第１封止部５２０ａと第２封止部５２０ｂとを有している。この第１封止部５２０ａおよび第２封止部５２０ｂについて以下順次説明する。
【０１６５】
図２０に示すように、第１封止部５２０ａは、球集合板４６０に遊技盤３０側から挿通されて中間部材５０１を球集合板４６０に固定する固定手段であるネジ５１９と、球集合板４６０の遊技盤３０側に設けられネジ５１９が挿通される孔を底部に有する凹部４６５と、中間部材５０１に設けられネジ５１９が挿入され固定される挿入部５１４と、ネジ５１９による固定状態を解除するために挿入部５１４に設けられた切断部５１４Ａとから構成されている。
【０１６６】
中間部材５０１の自由端において球集合板４６０に当接する上下２箇所のコーナー部からは、それぞれ、上下１組の方形状の延出片が、互いに平行となるように、水平に平伏した状態で、中間部材５０１の長さ方向に沿って延出し、上下１組の延出片のうち内側に位置する延出片の先端部が外方に屈曲して外側の延出片に向かって延び、これら上下の延出片の先端部分が、中間部材５０１の奥行方向に沿って延びる円筒状部を支持するような形状となるように、中間部材５０１のコーナー部が成形されている。上記円筒状部の内部にはネジ溝が形成されてネジ５１９が螺入し得るようになっており、この円筒状部が挿入部５１４となっている。また、上記上下１組の方形状の延出片は、ネジ５１９による固定状態を保持するのに十分な強度を有するとともに、ニッパ等の適宜手段により容易に切断し得る肉厚を有するものとなっており、この延出片が切断部５１４Ａとなっている。
【０１６７】
一方、球集合板４６０において上記中間部材５０１の上下のコーナー部に対応する位置にはそれぞれ、凹部４６５が設けられている。下側の凹部４６５は、球集合板４６０の取付面（遊技盤３０側面）から円形の平面形状をなして陥入し、その底部にはネジ挿通孔が穿設された構成となっている。上側の凹部４６５は、球集合板４６０の取付面（遊技盤３０側面）から、下側の一隅を部分円状に角落ちさせた概略方形状の平面形状をなして陥入し、その底部にはネジ挿通孔が穿設された構成となっている。上下の凹部４６５のネジ挿通孔にはそれぞれ、遊技盤３０側からネジ５１９が挿通され、該ネジ５１９の頭部が凹部４６５内に収容されるとともに、軸部が前記中間部材５０１の挿入部５１４に螺合し、これにより中間部材５０１の自由端部が球集合板４６０に固定されるようになっている。
【０１６８】
球集合板４６０が遊技盤３０に取り付けられた状態では、球集合板４６０の凹部４６５がネジ５１９のネジ頭を収容して遊技盤３０により閉塞された状態、すなわちネジ５１９のネジ頭が球集合板４６０と遊技盤３０との間に挟まれた状態となるため、外部からネジ５１９を取り外すことが不可能であり、これにより、中間部材５０１と球集合板４６０とが封止されるようになっている。一方、たとえば球集合板４６０の裏側の点検などを目的として中間部材５０１を開放する場合には、前記切断部５１４Ａを切断することにより、中間部材５０１と球集合板４６０との封止状態を外側から（パチンコ機１０の背面側から）、痕跡を残しながら解除することができる。
【０１６９】
なお、固定手段として、ネジにかえてナイラッチ等を用いるようにしてもよい。ナイラッチは、頭部から延出する軸部の先端部が径方向に拡張するように成形されたナイロン製の締結具であり、締結対象の部材に設けた孔部に押し込んで弾性的に係合させることにより当該部材を締結するものである。
【０１７０】
第２封止部５２０ｂは、中間部材５０１に背面側から挿通されて中間部材５０１を球集合板４６０に固定する破断ネジ５２２と、中間部材５０１に設けられ破断ネジ５２２が挿通される孔を底部に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されている。
【０１７１】
中間部材５０１の自由端は、高さ方向における中段をなす帯域部分が内側に陥入して、正面視概略コ字状の形状を有しており、その陥入部分の底部から、高さ方向に長く延びる概略直方体状の基台部５１５Ｂが外側（中間部材５０１の自由端側）に突出し、さらに該基台部５１５Ｂの外側端面から、破断ネジ挿通部５１５が外側に突出した形状となっている。基台部５１５Ｂの外側端面の上端部および下端部からは、それぞれ、上下１組の方形状の延出片が、互いに平行となるように、水平に平伏した状態で、中間部材５０１の長さ方向に沿って延出し、上下の延出片の先端部同士がたがいに近接し合う方向に円弧状に湾曲するように延びて接合し、正面視半円状の周壁部５１５Ｃが形成されている。この周壁部５１５Ｃを含む上下の延出片は全体として正面視Ｕ字状に形成され、その先端部分の内側における奥行方向中央付近には、奥行方向に対し垂直となるように、即ち例えば遊技盤３０の裏面に対し平行となるように、底壁５１５Ｄが設けられ、該底壁５１５Ｄにはネジ挿通孔（図示せず）が穿設されている。上記周壁部５１５Ｃを含む上下の延出片および底壁５１５Ｄにより、破断ネジ挿通部５１５が構成されている。上記上下の延出片は、前記第１封止部５２０ａの切断部５１４Ａと同様に、十分な強度を有するとともに容易に切断し得る肉厚を有するものとなっており、また、前記底壁５１５Ｄは上下の延出片の先端部の間の空間のみを閉塞しこれより内側の脚部（立ち上がり部）の間の空間は閉塞しないように設けられていて、この脚部は奥行方向に貫通する形状となっている。このように構成されることにより、上記上下の延出片の脚部が第２封止部５２０ｂの切断部５１５Ａとなっている。
【０１７２】
一方、図１６に示すように、球集合板４６０において上記上下の破断ネジ挿通部５１５に対応する位置にはそれぞれ、螺入部４６３が設けられている。上下の螺入部４６３は、球集合板４６０における前記支持体４１２挿通用の上下の開口部４６１の間の位置から、背面側（中間部材５０１側）へ延出する円筒状に形成され、その内部にはネジ溝が設けられて破断ネジ５２２が螺入され得るようになっている。
【０１７３】
図２０に示すように、中間部材５０１を閉じて球集合板４６０に当接させた状態では、破断ネジ挿通部５１５の周壁部５１５Ｃの球集合板４６０側端縁も球集合板４６０に当接し、螺入部４６３の全体が該周壁部５１５Ｃにより包囲されるようになっている。この状態で、破断ネジ５２２が破断ネジ挿通部５１５に背面側（中間部材５０１側）から挿通されて螺入部４６３に螺入され、これにより中間部材５０１が球集合板４６０に固定される。破断ネジ５２２は所定の高トルクで回転させることにより外側頭部５２２ａと内側頭部５２２ｂとの間で破断して外側頭部５２２ａが分離し、内側頭部５２２ｂが破断ネジ挿通部５１５の内部に収容された状態で残留する。この状態では、ドライバによって破断ネジ５２２を回転させることはできず、しかも内側頭部５２２ｂは破断ネジ挿通部５１５の周壁部５１５Ｃで包囲されているため、痕跡を残さずに破断ネジ５２２を取り除くことは不可能である。これにより、中間部材５０１と球集合板４６０とが封止された状態となる。
一方、前記切断部５１５Ａを切断することにより、中間部材５０１と球集合板４６０との封止状態を痕跡を残しながら解除することができる。
【０１７４】
中間部材５０１の自由端は、前記したように中段をなす帯域部分が内側に陥入した正面視概略コ字状の形状を有しているが、その陥入部分を挟む上段および下段の突出部分の先端面には、それぞれ前記第１封止部５２０ａが設けられている。さらに、下段の突出部分の先端面において、第１封止部５２０ａの上方の位置に、破断ネジ挿通部５１６が設けられている。この破断ネジ挿通部５１６は、前記陥入部分の底部に設けられた破断ネジ挿通部５１５とほぼ同様の上下の延出片（周壁部を含む）および底壁を有する構成となっている。また、図１６に示すように、球集合板４６０において上記中間部材５０１の下段の突出部分に設けられた破断ネジ挿通部５１６に対応する位置には螺入部４６４が設けられており、この螺入部４６４は前記螺入部４６３と同様に、背面側（中間部材５０１側）へ延出する円筒状に形成され、その内部にはネジ溝が設けられて破断ネジ５２２が螺入され得るようになっている。本実施形態に示す第２封止部５２０ｂは、中間部材５０１の陥入部分の底部に設けられた上下の破断ネジ挿通部５１５および突出部分に設けられた破断ネジ挿通部５１６と、これら破断ネジ挿通部５１５、５１６にそれぞれ対応するように球集合板４６０に設けられた螺入部４６３、４６４と、破断ネジ挿通部５１５、５１６のそれぞれに設けられた切断部５１５Ａ、５１６Ａと、破断ネジ５２２とで構成され、高さ方向に並ぶ３点で中間部材５０１と球集合板４６０との封止がなされ得るようになっている。
【０１７５】
上記中間部材５０１の陥入部分の底部に設けられた上下の破断ネジ挿通部５１５は、図９および図１１に示すように、前記開閉機構４１０におけるブラケット４１３の上下の支持部４１３ａの間に挟持されるような位置に形成され、これら支持部４１３ａの間のスペースをほぼ閉塞し、第１基板ケース２０１Ａを枢着する軸４１１であるリベットの頭部に近接している。
【０１７６】
図９乃至図１１ならびに図２１に示すように、上記中間部材５０１の外側面（第１基板ケース２０１Ａ側面）における固定端部（図９、図１１及び図２１では右側端部）には、先端に係止爪が形成された矩形状の係止片５１７が後方に（第１基板ケース２０１Ａ側に）突出するように配設され、一方、第１基板ケース２０１Ａの自由端部には、矩形状の突起部８５１が側方に（図２１では右方に）突出するように配設されており、図２２に示すように該係止片５１７が突起部８５１に弾性的に係止し得るようになっている。この係止片５１７は、中間部材５０１に一体成型されている。
【０１７７】
また、上記中間部材５０１の外側面における自由端部には、図１１に示すように、矩形状凹部５１８が形成されている。この矩形状凹部５１８は、前記連結台座部材４３０の長さ（約４８ｍｍ）および厚み（約１３ｍｍ）にそれぞれほぼ等しい長さ（中間部材５０１の長手方向に沿った長さ）および深さを有し、図９に示すように、内部に連結台座部材４３０をほぼ隙間なく収容することができ、収容状態で該連結台座部材４３０の外側面（開放側面）と中間部材５０１の外側面とが面一となるようになっている。これにより、第１基板ケース２０１Ａとの間にできる限り間隙が形成されないようになっている。
【０１７８】
また、上記パチンコ機１０においては、中間部材５０１の一方端部およびこれに対応する球集合板４６０の位置に、第１および第２封止部５２０ａ、５２０ｂで構成される封止手段を設けた構造としていたが、これと同様のまたは異なる封止手段を他方端部にも設け、これにより、中間部材５０１の両端部を封止した状態で固定する構造とするようにしてもよい。この場合、前記中間部材５０１の開閉構造（回動可能に軸支した構造）を設けた端部にさらに封止手段を設けるようにしてもよいが、両端部が封止手段により固定されるため、開閉構造は省略することができる。
【０１７９】
上記のように、遊技盤３０の裏面と第１制御基板ユニット２０１との間に中間部材５０１が介装されていることにより、遊技盤３０の裏面と第１制御基板ユニット２０１との間の間隙が補填され、これによって、不正行為を行い得るようなスペースが形成されないようになっている。さらに、この中間部材５０１が封止手段５２０により封止した状態で固定されていることにより、不正に取り外すことが困難となっており、もしこの封止が不正に破られたとしても、痕跡が残るため、封止が破られたことが一目瞭然であり、これにより不正行為が容易に発覚する。
【０１８０】
さらに、封止手段が第１封止部５２０ａと第２封止部５２０ｂとを有し、第１封止部５２０ａが、球集合板４６０に遊技盤３０側から挿通されて中間部材５０１を球集合板４６０に固定する固定手段であるネジ５１９と、球集合板４６０の遊技盤３０側に設けられネジ５１９が挿通される孔を底部に有する凹部４６５と、中間部材５０１に設けられネジ５１９が挿入され固定される挿入部５１４と、ネジ５１９による固定状態を解除するために挿入部５１４に設けられた切断部５１４Ａとから構成されているため、球集合板４６０が遊技盤３０に取り付けられた状態では外部からネジ５１９を取り外すことが不可能であり、これにより、中間部材５０１が封止した状態で固定され、これを痕跡を残すことなく不正に取り外そうとすると球集合板４６０を遊技盤３０から取り外すことが必要となり、したがって不正行為を行うことが困難となっている。一方、たとえば球集合板４６０の裏側の点検などを目的として中間部材５０１を開放する場合に、切断部５１４Ａを切断することによって痕跡を残しながら中間部材５０１の封止状態を解除することができる。また、球集合板４６０が遊技盤３０に取り付けられていない状態では中間部材５０１を自在に開放し得るため、作業性が良好である。
【０１８１】
さらに、第２封止部５２０ｂが、中間部材５０１に背面側から挿通されて中間部材５０１を球集合板４６０に固定する破断ネジ５２２と、中間部材５０１に設けられ破断ネジ５２２が挿通される孔を底部に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されているため、中間部材５０１を破断ネジ５２２により球集合板４６０に外側から固定することができ、これにより、容易に中間部材５０１を封止した状態で固定することができる。このとき、前記球集合板４６０が遊技盤３０に取り付けられた状態であっても、中間部材５０１を破断ネジ５２２により球集合板４６０に外側から封止・固定することができるので、たとえば前記第１封止部５２０ａによる封止状態を解除した後に、第２封止部５２０ｂによって再度中間部材５０１と球集合板４６０とを封止することができる。一方、たとえば球集合板４６０の裏側の点検などを目的として中間部材５０１を開放する場合には、切断部５１５Ａ、５１６Ａを切断することによって痕跡を残しながら中間部材５０１の封止状態を解除することができる。
【０１８２】
さらに、第１制御基板ユニット２０１の一方端部が軸４１１により回動可能に枢着され、破断ネジ挿通部５１５が、第１制御基板ユニット２０１を枢着する軸４１１に近接していることにより、第１制御基板ユニット２０１を枢着部分から不正に取り外そうとしても、破断ネジ挿通部５１５が障害となって枢着部分を取り外すことが困難となっており、また中間部材５０１は封止した状態で固定されているため、破断ネジ挿通部５１５を取り除こうとしても痕跡を残さずにこれを取り除くことは困難となっている。したがって不正行為がさらに効果的に防止される。
【０１８３】
さらに、中間部材５０１のコーナー部に第１封止部５２０ａが設けられ、コーナー部以外に第２封止部５２０ｂが設けられていることにより、第１封止部５２０ａによって中間部材５０１をコーナー部で容易かつ確実に封止することができるとともに、この中間部材５０１の封止を第２封止部５２０ｂによってさらに確実に行うことができる。また、複数個所に第１および第２封止部が設けられているので、封止および解除を行う行程の１回につき１箇所ずつで封止および解除を行うようにすれば、封止および解除の行程を複数回行うことができ、その行程ごとに開封履歴を残すことができる。
【０１８４】
さらに、中間部材５０１が中空体に成形され、内部がリブ５１２により多数の室に区画された構成としたことによって、中間部材５０１の内部に不正基板を設置するのに十分なスペースが形成されておらず、したがって不正行為を効果的に防止することができる。
【０１８５】
さらに、中間部材５０１が、球集合板４６０に対向する面が開放された構成としたことにより、中間部材５０１を閉じた状態では上記開放された面も球集合板４６０に当接して閉塞されるため、中間部材５０１の内部に不正基板を設置する等の不正行為は困難となっている。このとき、前記したように中間部材５０１の内部がリブ５１２により多数の室に区画されていても、中間部材５０１の開放部分が外部に露出しておればそこからリブ５１２を切断して不正行為のためのスペースを確保されるおそれがあるが、上記のように中間部材５０１の開放面を球集合板４６０に対向させることにより、リブ５１２を切断することも困難となっている。
【０１８６】
さらに、中間部材５０１と第１制御基板ユニット２０１とが、たがいに左右逆方向に開閉される開閉構造を有する構成としたことにより、中間部材５０１および第１制御基板ユニット２０１のそれぞれを開放した状態における荷重が左右いずれか一方の端部に集中せず、左右両端部に分散することとなる。よって、たとえば点検などに際して中間部材５０１および第１制御基板ユニット２０１を開放する場合等に、これら中間部材５０１および第１制御基板ユニット２０１の荷重により球集合板４６０に変形が生じるといった不具合が防止される。球集合板４６０に変形が生じると、遊技球の排出に不具合をきたすおそれがある。
【０１８７】
さらに、第１制御基板ユニット２０１の一方端部が軸４１１により回動可能に枢着され、中間部材５０１に、第１制御基板ユニット２０１の他方端部（自由端部）に係止する係止片が一体成型された構成としたことにより、第１制御基板ユニット２０１の自由端部を保持するための部材（例えばナイラッチ等）を別に用意する必要がなく、部品点数を少なくすることができる。また、中間部材５０１が不正に取り外されたとした場合、第１制御基板ユニット２０１の自由端部が保持されずに遊離した状態となるため、不正行為が容易に発覚することとなり、したがって不正を行うことがより困難となる。
【０１８８】
また、パチンコ機１０の組み立てにおいては、例えば、球集合板４６０に中継基板、ＬＥＤ基板、スイッチ、配線等の電気部品を取り付け、この球集合板４６０に中間部材５０１を取り付けてこれらをユニットとして構成し、このユニットを遊技盤３０に取り付け、この後第１制御基板ユニット２０１を取り付けるという工程にすると作業性が良好となるが、このような場合に、電気部品の少なくとも一部が中間部材５０１で覆われるようにすることで、電気部品が中間部材５０１によって保護され、取り付け作業時に電気部品が破損されることが防止される。
【０１８９】
なお、図２２には、球集合板４６０に中間部材５０１および第１制御基板ユニット２０１を取り付けた状態が示されており、このように、球集合板４６０、中間部材５０１および第１制御基板ユニット２０１を一体とした状態で遊技盤３０に取り付けるという工程も可能であり、パチンコ機１０の組み立て方法は特定のものに限定されないが、前記のように球集合板４６０および中間部材５０１をユニットとして遊技盤３０に取り付けた後に第１制御基板ユニット２０１を取り付けるという工程がとりわけ作業性が良好である。
（特徴構成）
上記パチンコ機１０においては、第１制御基板ユニット２０１の主要部をなす第１基板ケース２０１Ａの一側部分が、金属よりなる連結部材を含む取付構造により遊技盤３０の裏面側に支持固定され、該第１基板ケース２０１Ａの他側部分が、外部との電波の送受信が可能に構成されたシールを貼付することにより封印された構成となっている。
【０１９０】
第１基板ケース２０１Ａは、以上の説明から明らかなように正面視概略横長の長方形状の外形を有し、その一側部分（第１基板ケース２０１Ａの背面視における左側部分）が、鋼板よりなる支持体４１２やブラケット４１３等の、金属よりなる連結部材を含む開閉機構４１０を介して遊技盤３０の裏面側に支持固定されている。
【０１９１】
第１基板ケース２０１Ａは、前記したように外側ケース（第１ケースまたは第２ケース）７０および内側ケース（第２ケースまたは第１ケース）８５を有してなるものであるが、より詳細には、図２４および図２５に示すような構成となっている。図２４は第１基板ケース２０１Ａの斜視図、図２５は第１基板ケース２０１Ａの分解斜視図である。なお図２４および図２５に示す第１基板ケース２０１Ａは、前記図８ないし図２３を参照しながら詳述した実施態様に比して、例えば封止部材８７Ａ等のように細部に若干の構成上の相違を有しているが、基本的には同様のものである。
【０１９２】
図２４および図２５に示すように、第１基板ケース２０１Ａは、比較的大きな厚み（奥行）を有する背面視概略横長の長方形状で前面側（遊技盤３０側）が開放された形状の外側ケース７０に、主制御装置２６１の制御基板８０が収容され、該制御基板８０の前面側から蓋をするようにして、比較的小さい厚みを有する背面視概略横長の長方形状の内側ケース８５が、図２４中の矢印Ａ１に示すように長さ方向にスライドさせて嵌着された構成となっている。
【０１９３】
第１基板ケース２０１Ａにおいて、前記開閉機構４１０を介して遊技盤３０の裏面側に支持固定された一側部分に対向する他側部分（第１基板ケース２０１Ａの背面視における右側部分）には、前記矩形状の突起部８５１が形成されている。この矩形状突起部８５１は、図２５に示すように、外側ケース７０および内側ケース８５の右側端縁部分に、互いに合同な縦長の長方形状を有する突起片８５１Ｒ、８５１Ｆをそれぞれ右方へ突出するように形成しておき、外側ケース７０に内側ケース８５を嵌着するとともにこれら突起片８５１Ｒ、８５１Ｆを重合させるようにすることによって構成されている。両突起片８５１Ｒ、８５１Ｆにはそれぞれ、上下２点に、厚さ方向に貫通するネジ孔８５２Ｒ、８５２Ｆが穿設されており、これらネジ孔８５２Ｒ、８５２Ｆにネジ（図示せず）を螺入することにより両突起片８５１Ｒ、８５１Ｆが締結固定されるようになっている。
【０１９４】
上記外側ケース７０の突起片８５１Ｒの上方および下方にはそれぞれ、外側連結部７２が設けられ、内側ケース８５の突起片８５１Ｆの上方および下方にはそれぞれ、内側連結部８８が設けられている。上記外側連結部７２の構造は前述の連結台座部材４３０の第２台座封止部４３２の構造とほぼ同様であり、外側ケース７０の右側端縁部分に繋がるリブに、有底のネジ止め凹部を有する突起体が一体成型されており、そのリブの底面と有底部分の底面は面一となっている。上記内側連結部８８は、内側ケース８５の右側端縁部分に一体的に形成され、内部にネジ溝が形成された円筒状の構造を有するものとなっている。上記外側連結部７２および内側連結部８８は、ネジを用いて締結することにより連結固定される。
【０１９５】
なお、上記外側ケース７０および内側ケース８５の両突起片８５１Ｒ、８５１Ｆや外側および内側連結部７２、８８を締結固定するネジとしては、金属製のネジであってもよいが、これにかえて、例えば、高い強度や耐熱性を有するポリカーボネート、ポリアミド、ポリアセタール、ポリフェニレンエーテル、ポリプチレンテレフタレート等の高機能樹脂（エンジニアリングプラスチック）等よりなる樹脂性のネジを使用してもよい。
【０１９６】
前記第１基板ケース２０１Ａの矩形状突起部８５１には、図２６に示すようにシール６０１が貼付され、これにより第１基板ケース２０１Ａの右側端縁部分が封印される。シール６０１は、横断面コの字形状をなすように折り曲げた状態で、前記外側ケース７０および内側ケース８５の両突起片８５１Ｒ、８５１Ｆを跨ぐようにして貼付されている。
【０１９７】
シール６０１は、図２８および図２９に示すように、前記第１基板ケース２０１Ａの矩形状突起部８５１の上下面を除く３面を折り曲げ状態でほぼ全面的に覆い得る長方形状の平面形状を有し、図２７に示すように、基材層６０２、粘着材層６０３および剥離紙６０４を積層して構成され、粘着材層６０３上にはＩＣタグユニット６０５が配置されている。
【０１９８】
基材層６０２は、ポリエステルフィルム等の樹脂フィルムよりなり、シール６０１を剥がす力に伴う応力によって一部が破壊される程度の適度な脆性を有するとともに、粘着材層６０３を構成する粘着剤に対する溶解性を有するトルエン等の有機溶剤や粘着剤層の粘着力が低下する温度（例えば５０℃以上）の熱により変色するものとなっている。これにより、第１基板ケース２０１Ａの矩形状突起部８５１からシール６０１を不正に剥がすことを意図して溶剤をかけたり熱を加えたりすると、基材層６０２が変色して不正行為の痕跡が残るようになっている。
【０１９９】
粘着剤層６０３を構成する粘着剤は、一旦貼付した後に剥がされると基材層６０２から剥がれる程度の粘着力を有している。よって、シール６０１が剥がされた場合には再度貼付することが困難であり、さらに粘着剤層６０３の一部が被着体側に残存することとなる。これにより、シール６０１を不正に剥がした場合に痕跡を残すことができる。
【０２００】
ＩＣタグユニット６０５は、ＩＣチップ６０５ａおよびアンテナ６０５ｂより構成されており、帯状に延びる長尺状のアンテナ６０５ｂの中央付近にＩＣチップ６０５ａが配置されている。ＩＣチップ６０５ａは集積回路として形成されるものであり、制御部およびメモリー領域を有する。メモリー領域には、識別データとしてのＩＤ情報が格納されている。アンテナ６０５ｂは、アルミ等の金属薄層で形成されており、その厚みはＩＣチップ６０５ａの厚みよりも薄い。また、アンテナ６０５ｂは、共振周波数が２．４５ＧＨｚ等の一定周波数となるようにアンテナパターンとして作製されている。
【０２０１】
ＩＣチップ６０５ａのメモリー領域に格納されたＩＤ情報は、制御部により呼び出されてアンテナ６０５ｂから発信し得るように構成されており、アンテナ６０５ｂから発信されたＩＤ情報をリーダー／ライターとして形成されるスキャナーで受信して読み取ることができるようになっている。詳細には、スキャナーから前記周波数の微弱な電波で呼び出しが行われ、この電波で誘導電磁界が形成される。この誘導電磁界内にアンテナ６０５ｂが位置する程度に、スキャナーをアンテナ６０５ｂに近接させると、アンテナ６０５ｂに電磁誘導により起電力が発生する。ＩＣチップ６０５ａではこの起電力を電源として、メモリー領域に格納されているＩＤ情報が制御部で呼び出されてアンテナ６０５ｂから送信され、このように発信されたＩＤ情報をスキャナーで受信して読み取ることができるようになっている。
【０２０２】
ＩＣタグユニット６０５（アンテナ６０５ｂ）は、図２９に示すように、粘着剤層６０３が形成された基材層６０２に対し、当該基材層６０２の一隅部側からその対角方向の隅部側に亘って斜めに配置されている。詳細には、アンテナ６０５ｂは基材層６０２の対角線上にはなく、アンテナ６０５ｂの長手方向が基材層６０２の両対角線と交差している。この場合、長尺状のアンテナ６０５ｂはその長手方向が基材層６０２のすべての辺方向と交差することとなる。そして、前記矩形状突起部８５１を構成する両突起片８５１Ｒ、８５１Ｆに跨ってシール６０１が貼付されているのに伴って、アンテナ６０５ｂも両突起片８５１Ｒ、８５１Ｆに跨っている。
【０２０３】
また、シール６０１には、アンテナ６０５ｂの長手方向に沿って多数のアンテナ用切り込み６０６が等間隔に並置するようにして形成されている。アンテナ用切り込み６０６は、アンテナ６０５ｂの長手方向に対して略直交する方向に延びる直線状であり、基材層６０３の表面側から粘着剤層６０３の背面側まで貫通している（なお、図２８ではアンテナ用切り込み６０６は図示省略している）。ちなみに、アンテナ用切り込み６０６が延びる方向は、アンテナ６０５ｂの長手方向に対して略直交する方向であるため、基材層６０３のすべての辺方向と交差している。また、アンテナ用切り込み６０６は、アンテナ６０５ｂに若干掛かる構成となっている。この場合に、アンテナ６０５ｂはアンテナ用切り込み６０６により分断されていないため、ＩＤ情報の送信に関して弊害は生じない。また、アンテナ用切り込み６０６がアンテナ６０５ｂを挟んで直線状に並ばないように、アンテナ６０５ｂの一側に位置するアンテナ用切り込み６０６と他側に位置するアンテナ用切り込み６０６とはずらして形成されている。詳細には、アンテナ６０５ｂの一側に位置するアンテナ用切り込み６０６と他側に位置するアンテナ用切り込み６０６とは、アンテナ６０５ｂの長手方向に沿って交互に並ぶように形成されている。
【０２０４】
上記シール６０１を第１基板ケース２０１Ａの矩形状突起部８５１から剥がそうとする場合、できるだけ該シール６０１を損なわないようにするには、剥がす力に伴う応力が、基材層６０３の隅角に対して局所的に集中したりシール６０１の折り曲げ部分に集中したりしないように、シール６０１の短辺に沿う方向に剥がすことが必要となるが、この方向はアンテナ６０５ｂの延びる方向に対して交差する方向である。従って、剥がす力に伴う応力がアンテナ６０５ｂの周囲に位置するアンテナ用切り込み６０６の端部に集中することで、アンテナ用切り込み６０６を端緒とする断裂が生じて基材層６０３が破壊され、これに伴いアンテナ６０５ｂが分断されることとなる。アンテナ６０５ｂが分断されるとＩＤ情報がアンテナ６０５ｂから送信されなくなるので、ＩＤ情報をスキャナーで読み取ることができなくなる。よって、シール６０１を第１基板ケース２０１Ａの矩形状突起部８５１からできる限りきれいに剥がして第１基板ケース２０１Ａを開封し、制御基板８０に対して不正を行った後に、第１基板ケース２０１Ａを封印すべくシール６０１を再度きれいに原状に復すように貼ったとしても、当該不正行為を容易に発見することができる。
【０２０５】
シール６０１の４隅には、基材層６０３の表面側から粘着剤層６０３の背面側まで貫通する隅部切り込み６０７がそれぞれ形成されている。詳細には、隅部切り込み６０７は、シール６０１の隅角の内側にて当該隅角に沿うようにしてＬ字状に形成されている。よって、シール６０１がその一辺に沿う方向に剥がされるのではなく隅角側から（即ちシール６０１の辺に対し斜方向に）剥がされたとしても、隅部切り込み６０７からシール６０１に破壊が生じることとなる。これにより、不正行為の痕跡を残すことができる。
【０２０６】
シール６０１の外縁には、図２８に示すように、外側端部から内側に向けて多数の外縁切り込み６０８が形成されている。これら外縁切り込み６０８は、内側から外側に向けて開く鋭角のＶ字状となっており、さらにシール６０１の外周に沿う方向に等間隔で形成されている。従って、第１基板ケース２０１Ａの矩形状突起部８５１からシール６０１を剥がそうとすると、この剥がす力に伴う応力が外縁切り込み６０８の内側端部に集中してシール６０１に破れなどといった破壊が生じる。これにより、シール６０１が剥がされたことの痕跡を残すことができ、制御基板８０に対して不正行為が行われたことを容易に発見することができる。
【０２０７】
ただし、上記のように外縁切り込み６０８が形成された構成においては、シール６０１の一辺全体からその辺に直交する方向に沿ってシール６０１が剥がされるとシール６０１の破壊が生じ難い。即ち、シール６０１をその角から剥がす場合や、シール６０１の外縁における隣り合う外縁切り込み６０８間を摘んで剥がす場合などは、剥がす力に伴う応力が少数の外縁切り込み６０８の内側端部に集中するため、外縁切り込み６０８を介したシール６０１の破壊が生じ易いのに対し、矩形状のシール６０１の一辺全体からその辺に直交する方向に沿って剥がす場合には、剥がす力に伴う応力が多数の外縁切り込み６０８の内側端部に分散されるため、外縁切り込み６０８を介したシール６０１の破壊が生じ難い。よって、後者の方式でシール６０１が剥がされると、外縁切り込み６０８では不正の痕跡が残らない場合がある。ところが、前述したように、アンテナ６０５ｂがシール６０１の一隅部側からその対角方向の隅部側に亘って延びるようにして斜めに配置されているので、シール６０１の一辺全体からその辺に直交する方向に沿ってシール６０１が剥がされたとしてもアンテナ６０５ｂが分断されることとなる。これにより、不正行為を容易に発見することができる。
【０２０８】
基材層６０３の表面には、図２８に示すように、インク塗布部６０９、識別情報部６１０および機種情報部６１１が設けられている。インク塗布部６０９には、紫外線等の特定の波長の光が照射されることにより模様が表れる特殊インクが塗布されている。識別情報部６１０には、複数の数字が記載されており、当該識別情報部６１０に記載される数字は遊技機毎に異なっている。この場合に、識別情報部６１０に記載される数字はＩＣチップ６０５ａに格納されているＩＤ情報と対応づけて設定されている。例えば、ＩＤ情報が数字で登録されている場合には、ＩＤ情報の数字と識別情報部６１０に記載された数字との和が、遊技ホールなどに設置された複数の遊技機において同一となるように設定されている。機種情報部６１１には、当該遊技機の機種名や当該遊技機の製造メーカー名などが記載されている。
【０２０９】
ここで、シール６０１の図２８における上部領域Ｒ１は、図２６に示すように、外側ケース７０の突起片８５１Ｒの表側面（重合面と反対側の面）に貼付することを意図して形成された領域となっている。よって、第１基板ケース２０１Ａに対峙する位置からは、インク塗布部６０９および識別情報部６１０を視認することができるので、インク塗布部６０９および識別情報部６１０の確認作業を容易に行うことができる。また、シール６０１の図２８における中間領域Ｒ２は、図２６に示すように、外側ケース７０および内側ケース８５の両突起片８５１Ｒ、８５１Ｆの突出端面（即ち矩形状突起部８５１の突出端面）に貼付することを意図して形成された領域となっている。よって、機種情報部６１１に記載された内容は第１基板ケース２０１Ａを取り外すことなく確認することができる。なお、下部領域Ｒ３は、内側ケース８５の突起片８５１Ｆの表側面（重合面と反対側の面）に貼付することを意図して形成された領域となっている。また、前記したように、第１基板ケース２０１Ａが遊技盤３０の裏面側に取り付けられた状態では、矩形状突起部８５１には中間部材５０１の外側面に形成された係止片５１７が弾性的に係止しており、このため矩形状突起部８５１の突出端面から内側ケース８５の突起片８５１Ｆの表側面にかけて貼付されているシール６０１の中間領域Ｒ２および下部領域Ｒ３や上部領域Ｒ１の一部はこの係止片５１７に覆われた状態となっているが、この係止片５１７は容易に取り外すことができるため、インク塗布部６０９、識別情報部６１０または機種情報部６１１の確認作業を行うことも容易である。
【０２１０】
上述のようにインク塗布部６０９および識別情報部６１０が設けられていることにより、第１基板ケース２０１Ａが不正に交換された場合に、その交換がなされていることを容易に発見することができる。即ち、交換された不正用の基板ケースが正規の第１基板ケース２０１Ａと外観上区別できなかったとしても、インク塗布部６０９に特定の光を照射し模様が表れないことを確認することで交換されたことを発見することができる。また、不正用の基板ケースのシールにＩＣタグユニットが設けられていたとしても、ＩＤ情報をスキャナーで読み取り、その情報と識別情報部６１０の情報とを確認することで交換されたことを発見することができる。
【０２１１】
上記構成によれば、制御基板８０を収容する外側ケース７０と内側ケース８５とを跨ぐようにしてＩＣタグユニット６０５を有するシール６０１が貼り付けられているので、第１基板ケース２０１Ａを開封するためには、矩形状突起部８５１からシール６０１を剥がし当該矩形状突起部８５１のネジ固定を解除する必要がある。この場合に、シール６０１をその隅角から剥がしていくと、剥がす力に伴う応力が基材層６０３の隅角部分に集中し、基材層６０３は適度な脆性を有しているので、基材層６０３が大きく破壊されることとなる。また、シール６０１の外縁には、内側から外側端部に向けて鋭角のＶ字状に開いた外縁切り込み３３７が形成されているので、シール６０１をその隅角から剥がしていくと、剥がす力に伴う応力が外縁切り込み３３７の内側端部（内側に尖った部位）に集中し、基材層６０３がより破壊されやすくなっている。さらに、シール６０１が第１基板ケース２０１Ａの矩形状突起部８５１に対して略コ字状に折り曲げて貼り付けられているので、シール６０１をその隅角から剥がしていくと、剥がす力に伴う応力が折り曲げ部分に集中し、同様に基材層６０３が大きく破壊されることとなる。この場合、シール６０１が不正に剥がされたこと、即ち、制御基板８０に対して不正が行われたことの痕跡が明確に残ることとなる。よって、制御基板８０に対して不正を行おうとする者は、シール６０１の一辺全体からその辺に直交する方向に沿って剥がすことで、剥がす力に伴う応力を基材層６０３の一辺全体に分散させ、ベース部材が極力破壊されないようにすることとなる。ところが、アンテナ６０５ｂをその長手方向がシール６０１のすべての辺方向と交差するように配置する構成とすることにより、シール６０１をその一辺全体から剥がそうとすると、アンテナ６０５ｂの長手方向と交差する方向に破壊が生じる。そして、アンテナ６０５ｂが長尺状であり、アンテナ６０５ｂの長手方向と交差する方向の寸法は短くなっていることにより、破壊が生じた位置にてアンテナ６０５ｂが分断されることとなる。この場合、遊技ホールの管理者等がスキャナーによりＩＣチップ６０５ａに格納されたＩＤ情報を確認できなくなるため、主基板２７０に対して不正が行われたことを容易に且つ確実に発見することができる。
【０２１２】
また、上記のとおり、アンテナ６０５ｂを基材層６０３の一隅部側からその対角方向の隅部側に亘って延びるように配置する構成とすることにより、アンテナ６０５ｂを基材層６０３の一辺に沿って設ける構成に比べ、アンテナ６０５ｂの長さ寸法が大きく確保されている。よって、シール６０１が剥がされた場合におけるアンテナ６０５ｂの分断が生じる機会を多く設けることができる。
【０２１３】
また、ＩＣチップ６０５ａをアンテナ６０５ｂの長手方向の略中央に配置する構成とすることにより、上記のとおりアンテナ６０５ｂがシール６０１の一隅部側からその対角方向の隅部側に亘って配置された構成においてはＩＣチップ６０５ａの位置はシール６０１の中央付近となる。よって、ＩＣチップ６０５ａの厚みに起因してシール６０１が剥がし易くなることを抑制することができる。即ち、ＩＣチップ６０５ａは所定の厚みを有するため、シール６０１におけるＩＣチップ６０５ａの周囲と第１基板ケース２０１Ａの矩形状突起部８５１との間には隙間が生じることとなる。この場合に、ＩＣチップ６０５ａがシール６０１の外縁側にあるとその外縁と第１基板ケース２０１Ａの矩形状突起部８５１との隙間に指を掛けることでシール６０１が剥がし易くなる。これに対して、ＩＣチップ６０５ａの位置がシール６０１の中央付近であることにより、ＩＣチップ６０５ａの厚みに起因してシール６０１の外縁と第１基板ケース２０１Ａの矩形状突起部８５１との間に隙間が生じることはない。
【０２１４】
また、基材層６０３におけるアンテナ６０５ｂの周囲にアンテナ用切り込み６０６を形成する構成とすることにより、シール６０１が剥がされた場合にアンテナ用切り込み６０６の端部から基材層６０３が破壊されるのに伴ってアンテナ６０５ｂも破壊され、その位置にてアンテナ６０５ｂが分断されることとなる。よって、アンテナ６０５ｂが分断され易くなり、主基板２７０に対して不正が行われた場合の発見をより確実に行うことができる。特に、アンテナ用切り込み６０６をアンテナ６０５ｂの長手方向及び基材層６０３のすべての辺方向に対して交差する方向に延びる線状の切り込みとすることにより、シール６０１がその一辺に沿う方向に剥がされた場合の剥がす力に伴う応力がアンテナ用切り込み６０６のアンテナ側端部に集中し易くなる。これにより、シール６０１がその一辺に沿う方向に剥がされた場合のアンテナ６０５ｂの分断をより確実に発生させることができる。なお、アンテナ用切り込み６０６はアンテナ６０５ｂに達する位置まで形成されているので、シール６０１が不正に剥がされた場合にアンテナ６０５ｂが分断され易い構成となっている。また、アンテナ用切り込み６０６がアンテナ６０５ｂを挟んで直線上に並ばないように形成されていることにより、例えば、遊技機の製造時におけるシール６０１の貼り付け作業時などといった不正と関係のない場合にアンテナ６０５ｂを挟んで位置するアンテナ用切り込み６０６が繋がりそれに伴ってアンテナ６０５ｂが分断されてしまうことを抑制することができる。
【０２１５】
また、シール６０１の４隅に、基材層６０３の表面側から粘着材層６０３の背面側まで貫通するＬ字状の隅部切り込み６０７をそれぞれ形成する構成とすることにより、シール６０１がその隅角側から剥がされた場合には、剥がす力に伴う応力が隅部切り込み６０７の端部に集中し、隅部切り込み６０７からシール６０１に破れなどといった破壊が生じる。よって、制御基板８０に対して不正が行われたことの痕跡がシール６０１に残り、当該不正が行われたことを容易に発見することができる。また、当該隅部切り込み６０７を介したシール６０１の破壊を回避すべく、シール６０１の一辺に沿う方向に当該シール６０１が剥がされたとしても、上記のとおりアンテナ６０５ｂの分断が生じるので不正を容易に発見することができる。
【０２１６】
なお、粘着材層６０３を構成する粘着剤に対して溶解性を示す溶剤がシール６０１にかけられたり塗布されたりした場合、基材層６０３が変色する構成とすることにより、溶剤により粘着材層６０３の接着力を弱めアンテナ６０５ｂを分断させることなくシール６０１を剥がし制御基板８０に対して不正行為が行われたとしても、当該不正行為が行われたことを容易に発見することができる。また、シール６０１に対して所定温度以上の熱が加えられた場合も同様に、基材層６０３が変色する構成とすることにより、所定温度以上の熱を加えることにより粘着材層６０３の接着力を弱めアンテナ６０５ｂを分断させることなくシール６０１を剥がし制御基板８０に対して不正行為が行われたとしても、当該不正行為が行われたことを容易に発見することができる。
（作用）
上述の通り、パチンコ機１０においては、第１基板ケース２０１Ａの一側部分が、金属よりなる連結部材を含む取付構造により遊技盤３０の裏面側に支持固定され、該第１基板ケース２０１Ａの一側部分に対向する他側部分が、外部との電波の送受信が可能に構成されたシール６０１を貼付することにより封印された構成となっているので、電波の送受信が阻害されることなく該シール６０１を確実に作動させることができる。概略横長の長方形状の外形を有する第１基板ケース２０１Ａの一側部分（本実施形態では左側部分）は、その直近に、取付構造を構成する要素でいずれも鋼板よりなる支持体４１２やブラケット４１３、第２係合部４３３等の連結部材が集中して配置され、さらには、外側封止部７１と内側封止部８６とを連結する封止部材８７、連結台座部材４３０を第１基板ケース２０１Ａに連結封止するための締結具である金属製の破断ネジ４３９、連結台座部材４３０に設けられる係合部材である金属製の第２係合部４３３、中間部材５０１と球集合板４６０とを封止するための締結具である金属製のネジ５１９および破断ネジ５２２ならびに上記封止部材８７および破断ネジ４３９をそれぞれ収容する収容部７８１、４３１がいずれもまた、第１基板ケース２０１Ａの一側部分（左側部分）またはその近傍に配置されていることもあって、特に金属が多量に存在する環境となっている。一方、第１基板ケース２０１Ａの他側部分（本実施形態では右側部分）は外側ケース７０および内側ケース８５の両突起片８５１Ｒ、８５１Ｆや外側および内側連結部７２、８８を締結固定するための小型のネジが使用されている程度であって金属はごく僅かしか存在しない環境となっている。本パチンコ機１０においては、この金属の存在量が僅少な環境となっている側の部分（右側部分）にシール６０１を貼付するようにしたので、金属による影響がシール６０１の機能に実質的に及ばない構成となっている。即ち、シール６０１のＩＣチップ６０５ａに格納されている識別情報を金属部材により阻害されることなく確実に送受信することができるようになっている。これにより、不正行為の有無を正しく検知することができて信頼性の高いパチンコ機１０となっている。
【０２１７】
また、第１基板ケース２０１Ａの取付構造が、金属（鋼板）よりなるブラケット４１３が回動可能に枢着された構造であり、該第１基板ケース２０１Ａがこのブラケット４１３を介して遊技盤３０の裏面側に開閉可能に取り付けられているので、例えば点検の際に第１基板ケース２０１Ａを分離することなく開放した状態で作業できるため作業性が良好となるといった利点を有する構成となっているが、これによって第１基板ケース２０１Ａの一側部分（左側部分）に金属部材が偏在した構成となっており、そのぶん金属による影響が大となっているため、この一側部分に対向する他側部分（右側部分）にシール６０１を貼付するようにして金属による影響を回避する構成としたことによる効果もそれだけ大となっている。
【０２１８】
さらに、上記外側ケース７０および内側ケース８５の両突起片８５１Ｒ、８５１Ｆや外側および内側連結部７２、８８を締結固定するネジとして樹脂性のネジを使用すれば、シール６０１が貼付される第１基板ケース２０１Ａの他側部分（右側部分）から金属をさらに徹底して排除することができる。
【０２１９】
また、第１基板ケース２０１Ａの外側ケース７０および内側ケース８５の端縁部分に突起片８５１Ｒ、８５１Ｆをそれぞれ形成しておき、これら突起片８５１Ｒ、８５１Ｆを重合させることによって突起部８５１が構成され、この突起部８５１にシール６０１を貼付することにより第１基板ケース２０１Ａの端縁部分が封印されているので、シール６０１を容易かつ確実に貼付することができて作業性が良好で信頼性の高い封印構造となっている。即ち、板状の突起片８５１Ｒ、８５１Ｆを重合して突起部８５１を構成することにより、該突起部８５１が第１基板ケース２０１Ａに比して厚みが小さくなるように（具体的には半分以下の厚みとなるように）形成されており、これによりシール６０１をより貼付しやすく、かつより強固に貼付することができる構造となっている。
【０２２０】
また、第１基板ケース２０１Ａの突起部８５１にシール６０１が貼付されているので、シール６０１の貼付位置が遊技機３０の裏面側のうち外側寄りの箇所となっており、工場でのシール６０１の読取確認作業を遊技機の完成状態で行うことができる。また、シール６０１の貼付位置が制御基板８０の収容部分から突出させて別個の領域として確保されているため、制御基板８０がシール６０１に隠れることがなく、したがって該制御基板８０に対する不正の有無を目視により確認する場合にシール６０１が障害となることがない。
（変更態様）
図３０は、第１基板ケースが別の取付構造により取り付けられる構成とした例を示す図である。同図に示す例においては、第１基板ケース２７１Ａの下側部分が、金属よりなる回動操作式の固定具２７７を用いた取付構造により遊技盤３０の裏面側に支持固定されるようになっている。上記固定具２７７は、蝶ネジ状の頭部を有して手動で回動操作し得る構成となっており、第１基板ケース２７１Ａの前面（遊技盤３０側面）において、下端縁より若干上方の左寄り部および右寄り部の左右２箇所に、前方（遊技盤３０側方向）へ突出するようにして配設されている。第１基板ケース２７１Ａが取り付けられる取付台２５１には、上記固定具２７７の配設位置に対応して、左右２箇所に横長形状の貫通孔２５６が穿設されている。第１基板ケース２７１Ａは、上記貫通孔２５６に固定具２７７を挿通させるようにして取付台２５１に載置し、この状態で固定具２７７を９０°回動操作してロックすることにより固定される。一方、第１基板ケース２７１Ａの下側部分に対向する上側部分がシール６１２を貼付することにより封印されている。シール６１２は、設置箇所にあわせて外形および寸法が若干変更されているが、それ以外の構成はＩＣタグユニット等を含めすべて前記実施形態に示されたシール６０１と同様のものとなっている。シール６１２は、第１基板ケース２７１Ａの上端縁部分の中央において、外側ケース７３および内側ケース８９を跨ぐようにして貼付されている。
【０２２１】
この実施形態においては、第１基板ケース２７１Ａの下側部分すなわち一側部分が金属よりなる連結部材である固定具２７７により支持固定されているが、この下側部分に対向する上側部分すなわち他側部分にシール６１２を貼付するようにしたので、金属による影響がシール６１２の機能に実質的に及ばず、シール６１２のＩＣチップに格納されている識別情報を金属により阻害されることなく確実に送受信することができるようになっている。
【０２２２】
図３１は、金属よりなる連結部材を含む取付構造が設けられる位置ならびにシールを貼付することにより封印される位置の他の例を示す模式図である。同図に示す例では、基板ケース２１１の一側部分（左側部分）Ｄ１が金属よりなる連結部材を含む取付構造（図示省略）により支持固定され、他側部分（右側部分）Ｄ２にシール６１３が貼付されている。このシール６１３の貼付位置は、上記基板ケース２１１の他側部分（右側部分）Ｄ２内に位置する上端縁上の右端近傍となっている。このように、基板ケースの支持固定位置ないしシールの貼付位置は、基板ケースのいずれかの端縁の中央部以外にも、基板ケースのいずれかの隅部としてもよい。
【０２２３】
図３２は、基板ケースの矩形状突起部の別の例を示す図である。同図に示す例においては、前記実施形態と同様に、基板ケース２１２の右側端縁部分に矩形状突起部８５３が形成され、該矩形状突起部８５３の上下２箇所にネジ穴８５４Ｈ、８５４Ｌがそれぞれ設けられているが、これら上下のネジ穴８５４Ｈ、８５４Ｌは、互いに逆方向からネジが螺入されるようになっている。即ち、上位のネジ穴８５４Ｈにおいては矩形状突起部８５３の外側面（パチンコ機１０の後方を向いた面）にネジ頭部を収容する凹部が形成され、矩形状突起部８５３の外側からネジが螺入されるようになっており、一方、下位のネジ穴８５４Ｌにおいては矩形状突起部８５３の内側面（パチンコ機１０の前方を向いた面）にネジ頭部を収容する凹部が形成され、矩形状突起部８５３の内側からネジが螺入されるようになっている。さらに、シール６１４は前記実施形態と同様にして矩形状突起部８５３に貼付されるが、このとき、アンテナ６１５の一方端部が上位のネジ穴８５４Ｈの頭部収容凹部を跨ぐとともに、アンテナ６１５の他方端部が下位のネジ穴８５４Ｌの頭部収容凹部を跨ぐようになっている。この構成によれば、上下のネジ穴８５４Ｈ、８５４Ｌのいずれにおいても、ネジ頭部を露出させるためにはアンテナ６１５が配置されている部分でシール６１４を剥がすことが必要であるため、より確実にアンテナ６１５を分断することができ、したがって矩形状突起部８５３から不正にネジを取り外そうとした場合にその痕跡をより確実に残すことができる。
【０２２４】
さらに、この実施形態においては、矩形状突起部８５３の上端および下端に、該矩形状突起部８５３の横断面よりもやや大きい横寸法および縦寸法を有する上フランジ８５３Ｈおよび下フランジ８５３Ｌがそれぞれ形成されている。この構成においては、シール６１４の両短辺部が上フランジ８５３Ｈおよび下フランジ８５３Ｌに沿って貼付され、さらにシール６１４の両長辺部は基板ケース２１２の右側端面２１２Ｅに沿って貼付される。即ち、シール６１４の周縁が、上下のフランジ８５３Ｈ、８５３Ｌおよび基板ケース２１２の右側端面２１２Ｅに包囲されるようにして貼付される。これにより、シール６１４を矩形状突起部８５３に貼付する際に、上下のフランジ８５３Ｈ、８５３Ｌおよび基板ケース２１２の右側端面２１２Ｅが、シール６１４の周縁を貼付位置に案内し得るガイド構造となって位置決めが容易となり作業性が向上する。また、シール６１４が貼付された状態ではその周縁が上下のフランジ８５３Ｈ、８５３Ｌおよび基板ケース２１２の右側端面２１２Ｅに包囲されているためより剥がし難くなっており、したがって矩形状突起部８５３における封印がさらに確実になされている。
【０２２５】
図３３および図３４は、シールがカバー部材により覆われる構成とした例を示す。同図に示す例においては、基板ケース２１３の矩形状突起部８５５の外郭形状にほぼ対応する形状を有するとともに矩形状突起部８５５よりやや大きい寸法（容積）を有する内腔部６１６ａを備える概略直方体状のカバー部材６１６が、上記矩形状突起部８５５に着脱可能に取り付けられるようになっている。上記カバー部材６１６は、一方側端面部のみ開放されて開口６１６ｂが形成され、上面部および下面部にはそれぞれ係合片６１６Ｈ、６１６Ｌが形成されている。上記下面部の係合片６１６Ｌは、図３４に示すように、カバー部材６１６の下面部において、開口６１６ｂ側端縁のやや一方寄り部分（図３４ではやや上方寄りの部分）を内側方向へ直角に延びる互いに平行な２条の溝をなすように切り欠くことにより、これら溝状の切り欠きの間の部分を上下に容易に弾性変形し得る可撓性の片状体とすることによって形成されている。上記係合片６１６Ｌの先端部には、内方（上方）へ突起する係合爪が形成されている。一方、カバー部材６１６の上面部には、図３３に示すように、上記下面部の係合片６１６Ｌと対称をなすようにして、同様の係合片６１６Ｈが形成されている。
【０２２６】
基板ケース２１３の矩形状突起部８５５の上面部および下面部には、上記カバー部材６１６の上下の係合片６１６Ｈ、６１６Ｌに対応して、係合突起８５５Ｈ、８５５Ｌがそれぞれ形成されている。即ち、図３４に示すように、基板ケース２１３の矩形状突起部８５５において、基板ケース２１３の外側ケース７４から突出する突起片８５５Ｒの下面に、下方へ突出するようにして係合突起８５５Ｌが形成されている。一方、上記突起片８５５Ｒの上面には、図３３に示すように、上記下面の係合突起８５５Ｌと対称をなすようにして、同様の係合突起８５５Ｈが形成されている。
【０２２７】
上記カバー部材６１６は、基板ケース２１３の矩形状突起部８５５を開口６１６ｂから内腔部６１６ａ内に挿入するようにして、該矩形状突起部８５５に嵌着される。上記カバー部材６１６が矩形状突起部８５５に全的に（矩形状突起部８５５の根幹部まで）嵌着されると、前記上下の係合片６１６Ｈ、６１６Ｌが上下の係合突起８５５Ｈ、８５５Ｌにそれぞれ弾性的に係合し、これによりカバー部材６１６が矩形状突起部８５５を覆った状態で係止される。
【０２２８】
上記カバー部材６１６は、光透過性を有する樹脂を成形して得られたものとなっており、矩形状突起部８５５に嵌着された状態で、該矩形状突起部８５５に貼付されているシール６１７の状況や識別情報部に記載された記号情報等を外部から視認したり読み取ったりすることができるようになっている。また、上記カバー部材６１６が嵌着された状態で、外側からスキャナーを近接させることにより、シール６１７のＩＤ情報を受信して読み取ることも可能となっている。このとき、上記カバー部材６１６は前記したように上下の係合片６１６Ｈ、６１６Ｌが上下の係合突起８５５Ｈ、８５５Ｌにそれぞれ弾性的に係合することにより取付位置に保持されており、この係合を解除して容易に取り外すことができるので、もしなんらかの理由によりシール６１７の視認やスキャナーによるＩＤ情報の読み取りに困難が生じた場合でも、カバー部材６１６を取り外しシール６１７を露出させて直接的に視認やＩＤ情報の読み取り等の作業を行うことができ、作業後には再びカバー部材６１６を容易に取り付けることができる。
【０２２９】
また、上記カバー部材６１６は、シール６１７を外部からの衝撃に対し保護するのに十分な機械的強度を有するとともに、十分な耐熱性を有するものとなっている。
【０２３０】
また、上記カバー部材６１６の内腔部６１６ａは前記したように矩形状突起部８５５よりやや大きい寸法（容積）を有するので、上記カバー部材６１６が嵌着された状態ではシール６１７と内腔部６１６ａとの間に間隙が形成され、この間隙中の空気が断熱層となって、これによりシール６１７が外部の熱に対しより確実に保護されるようになっている。
【０２３１】
上記のようにシール６１７がカバー部材６１６により覆われる構成によれば、シール６１７を外部からの衝撃や熱に対し効果的に保護することができる。
【０２３２】
遊技機は、ホールに設置された後、遊技機裏面に遊技球が衝突したり部品検査時に擦れたりすること等により、機械的な衝撃を受けることも多く、この衝撃によってシール６１７のＩＣタグユニットが破損するおそれがある。また、遊技機を工場から出荷する段階で、熱収縮性のシートを巻きつけて該遊技機を保護することがなされているが、熱収縮性のシートは遊技機に密着させるために高温の熱が印加されるため、シール６１７の環境がＩＣタグユニットの保証温度以上の高温に達すると、該ＩＣタグユニットが破損するおそれがある。
【０２３３】
これに対し、上記のようにカバー部材６１６で覆うようにすることでシール６１７が効果的に保護され、ＩＣタグユニットが衝撃や熱により破損してＩＤ情報の読み取りが不可能となるといった不具合を防止することができ、これにより遊技機の信頼性をさらに向上させることができる。
【０２３４】
上記カバー部材６１６は、遊技機の使用状況に応じて、任意の段階で取り付けるようにすればよい。例えば、基板ケース２１３の矩形状突起部８５５にシール６１７を貼付した後に直ちにカバー部材６１６を取り付け、遊技機がホールに設置された後も継続して取り付けた状態としておき、点検等の必要時のみ一時的に取り外すようにしたり、あるいは、遊技機の搬送時やホール設置後といったいくつかの段階のうち、必要な段階を選択してカバー部材６１６を取り付けるようにしたりといった使用態様が挙げられる。
【０２３５】
上記カバー部材は、上記のように分離可能に構成する以外にも、例えば図３５に示すように、基板ケース以外の遊技機構成部材に支持される構成としてもよい。同図に示す例においては、中間部材５０２の右側端における裏面側（基板ケース２１４側）に、カバー部材６１８が上下方向の軸により矢印Ａ２に示すように回動可能に枢支されており、基板ケース２１４が中間部材５０２の裏面側に取り付けられた状態で、カバー部材６１８を上記のように回動させることにより、基板ケース２１４の矩形状突起部８５６に着脱し得るようになっており、カバー部材６１８を矩形状突起部８５６に嵌着した状態では、前記と同様の係合構造（図示省略）により係止されるようになっている。
【０２３６】
さらには、例えば図３６ないし図３８に示すように、上記カバー部材を、基板ケース以外の遊技機構成部材に着脱可能に支持される構成としてもよい。図３６は、中間部材にカバー部材が着脱可能に支持された例を示す背面斜視図（遊技盤側からみた斜視図）、図３７は図３６の背面図、図３８は図３６の下面図である。同図に示す例においては、カバー部材６１９が、基板ケース２１５の矩形状突起部（図示せず）の外側面（遊技機の後方を向いた面）の形状に相似であって該矩形状突起部の外側面より僅かに大きい寸法を有する縦長の長方形に成形され、一方長縁に沿って軸６１９Ａが形成されるとともに、上下の短縁の中央部からそれぞれカバー部材６１９の内面側へむけて垂直に延出する係合爪６１９Ｃが形成された構成となっている。一方、中間部材５０３には、一方側端面に該中間部材５０３を遊技盤の裏面に支持するための枢支部５０３Ｈが形成され、この枢支部５０３Ｈ形成側端面（図中の左側端面）における裏面側端縁（基板ケース２１５側端縁）に沿って、前記カバー部材６１９の軸６１９Ａの長さに対応する間隔をもって軸受部５０３Ａが上下にそれぞれ形成され、これら軸受部５０３Ａの中間の位置から、遊技機の前方へむけて水平に延びる突条５０３Ｐが形成されており、前記カバー部材６１９の軸６１９Ａが、上下の軸受部５０３Ａおよび突条５０３Ｐの後方端（遊技機の後方へむかうほうの端）の形成位置に合わせて嵌着され、この状態で、該軸６１９Ａの上下端が上下の軸受部５０３Ａによりそれぞれ後方（遊技機の後方）から支承されるとともに、中央部が突条５０３Ｐの後方端により前方（遊技機の前方）から支承されるようになっている。これにより、カバー部材６１９が、図中の矢印Ａ３に示すように上下方向の軸６１９Ａを中心として回動可能に枢支されるようになっている。カバー部材６１９をこのようにして中間部材５０３に嵌着した状態で基板ケース２１５側へ回動させると、前記係合爪６１９Ｃが基板ケース２１５の矩形状突起部に弾性的に係止し、該矩形状突起部がカバー部材６１９により覆われた状態に保持される。
【０２３７】
上記構成によれば、カバー部材６１９を任意の時点で中間部材５０３に着脱することができ、例えば、中間部材５０３に予めカバー部材６１９を取り付けておき、中間部材５０３に基板ケース２１５を取り付けた後に矩形状突起部をカバー部材６１９で覆うようにし、遊技機の搬送後はカバー部材６１９を遊技機から取り外しておいて後は任意の時点で再度着脱するようにするといった使用態様も可能である。
【０２３８】
上記カバー部材は、上記のように中間部材５０２、５０３に保持される構成とする以外にも、例えば中間部材が配置されない場合には集合板に保持されるようにする等、遊技機における中間部材以外の適宜位置に保持される構成としてもよい。
【０２３９】
上記のような構成によれば、カバー部材６１８、６１９が遊技機構成部材（中間部材５０２、５０３）に保持されるため、カバー部材６１８，６１９を別に取り扱う必要がないといった作業面での利点があるが、基板ケース２１４、２１５が中間部材５０２、５０３に取り付けられていない状態ではカバー部材６１８を基板ケース２１４、２１５に着脱できないため、任意の時点でシールの保護を図るという観点からは前記の例のようにカバー部材が分離可能に構成されているほうが望ましい。
【０２４０】
本発明は、基板ケースを備える遊技機であれば、適宜実施可能であり、その適用範囲は広いものである。
【符号の説明】
【０２４１】
２７１Ａ：基板ユニット
２７７：固定具（金属製連結部材）
６１２：シール
【図１】
2020192470.tif 000003
【図２】
2020192470.tif 000004
【図３】
2020192470.tif 000005
【図４】
2020192470.tif 000006
【図５】
2020192470.tif 000007
【図６】
2020192470.tif 000008
【図７】
2020192470.tif 000009
【図８】
2020192470.tif 000010
【図９】
2020192470.tif 000011
【図１０】
2020192470.tif 000012
【図１１】
2020192470.tif 000013
【図１２】
2020192470.tif 000014
【図１３】
2020192470.tif 000015
【図１４】
2020192470.tif 000016
【図１５】
2020192470.tif 000017
【図１６】
2020192470.tif 000018
【図１７】
2020192470.tif 000019
【図１８】
2020192470.tif 000020
【図１９】
2020192470.tif 000021
【図２０】
2020192470.tif 000022
【図２１】
2020192470.tif 000023
【図２２】
2020192470.tif 000024
【図２３】
2020192470.tif 000025
【図２４】
2020192470.tif 000026
【図２５】
2020192470.tif 000027
【図２６】
2020192470.tif 000028
【図２７】
2020192470.tif 000029
【図２８】
2020192470.tif 000030
【図２９】
2020192470.tif 000031
【図３０】
2020192470.tif 000032
【図３１】
2020192470.tif 000033
【図３２】
2020192470.tif 000034
【図３３】
2020192470.tif 000035
【図３４】
2020192470.tif 000036
【図３５】
2020192470.tif 000037
【図３６】
2020192470.tif 000038
【図３７】
2020192470.tif 000039
【図３８】
2020192470.tif 000040